(57)【特許請求の範囲】
【請求項１】
バッテリ駆動の通信装置と通信可能な撮像装置であって、
前記撮像装置の動作状態を判定する状態判定手段と、
前記状態判定手段による判定の結果に基づき、前記通信装置のバッテリ残量を含む状態情報の通知を禁止する禁止通知または前記状態情報の通知を許可する許可通知を、前記通信装置に通知する送信手段と、
前記許可通知に応じて前記通信装置から送信された前記状態情報を受信する受信手段と、
前記受信手段により受信した前記状態情報に基づき、前記通信装置のバッテリ残量を表示する表示手段と
を有することを特徴とする撮像装置。
【請求項２】
前記状態判定手段は、前記撮像装置の所定の操作部に対する操作状態を判定することにより、前記動作状態を判定することを特徴とする請求項１に記載の撮像装置。
【請求項３】
前記状態判定手段により前記所定の操作部が操作されたと判定された後、前記送信手段は前記通信装置に前記禁止通知を送信し、
前記禁止通知が送信された後であって、かつ前記状態判定手段により前記所定の操作部の操作が解除されたと判定された後、前記送信手段は前記通信装置に前記許可通知を送信することを特徴とする請求項２に記載の撮像装置。
【請求項４】
前記表示手段は、前記撮像装置による撮像に関するパラメータも表示可能であることを特徴とする請求項１乃至３のいずれか１項に記載の撮像装置。
【請求項５】
前記状態判定手段により前記所定の操作部が操作されたと判定された後であって、かつ前記状態判定手段により前記所定の操作部の操作が解除されたと判定されるまで、前記表示手段は前記撮像装置による撮像に関するパラメータを表示することを特徴とする請求項２に記載の撮像装置。
【請求項６】
前記状態判定手段は、前記撮像装置の電源スイッチがＯＮされたか否かを判定することを特徴とする請求項１に記載の撮像装置。
【請求項７】
前記撮像装置と前記通信装置との間の認証を行う認証手段をさらに有し、
前記送信手段は、前記状態判定手段による判定の結果に加えて、さらに前記認証手段による認証の結果に基づき、前記禁止通知または前記許可通知を前記通信装置に送信することを特徴とする請求項１乃至６のいずれか１項に記載の撮像装置。
【請求項８】
撮像装置と通信可能なバッテリ駆動の通信装置であって、
前記通信装置のバッテリ残量を検出する検出手段と、
前記通信装置のバッテリ残量を含む状態情報の通知を禁止する禁止通知または前記状態情報の通知を許可する許可通知を、前記撮像装置から受信する受信手段と、
前記受信手段により前記許可通知を受信した場合、前記検出手段により検出されたバッテリ残量を含む状態情報を前記撮像装置に送信する送信手段とを有し、
前記送信手段は、前記受信手段により前記禁止通知を受信した場合、前記状態情報を前記撮像装置に送信しないことを特徴とする通信装置。
【請求項９】
前記許可通知は、前記撮像装置の所定の操作部が操作された場合に送信されることを特徴とする請求項８に記載の通信装置。
【請求項１０】
前記禁止通知は、前記撮像装置の所定の操作部が操作されて前記許可通知が送信された後、前記所定の操作部に対する操作が解除された場合に送信されることを特徴とする請求項８に記載の通信装置。
【請求項１１】
前記受信手段により前記許可通知を受信した場合に、前記撮像装置と前記通信装置との間の認証を行う認証手段をさらに有し、
前記送信手段は、前記認証手段による認証が行われた場合に、前記撮像装置に前記状態情報を送信することを特徴とする請求項８乃至１０のいずれか１項に記載の通信装置。
【請求項１２】
バッテリ駆動の通信装置と通信可能な撮像装置の制御方法であって、
前記撮像装置の動作状態を判定する状態判定工程と、
前記状態判定工程による判定の結果に基づき、前記通信装置のバッテリ残量を含む状態情報の通知を禁止する禁止通知または前記状態情報の通知を許可する許可通知を、前記通信装置に通知する送信工程と、
前記許可通知に応じて前記通信装置から送信された前記状態情報を受信する受信工程と、
前記受信工程により受信した前記状態情報に基づき、前記通信装置のバッテリ残量を表示する表示工程と
を有することを特徴とする撮像装置の制御方法。
【請求項１３】
撮像装置と通信可能なバッテリ駆動の通信装置の制御方法であって、
前記通信装置のバッテリ残量を検出する検出工程と、
前記通信装置のバッテリ残量を含む状態情報の通知を禁止する禁止通知または前記状態情報の通知を許可する許可通知を、前記撮像装置から受信する受信工程と、
前記受信工程により前記許可通知を受信した場合、前記検出工程で検出されたバッテリ残量を含む状態情報を前記撮像装置に送信する送信工程とを有し、
前記送信工程では、前記受信工程で前記禁止通知を受信した場合、前記状態情報を前記撮像装置に送信しないことを特徴とする通信装置の制御方法。
【請求項１４】
コンピュータに、請求項１２に記載の撮像装置の制御方法の各工程を実行させるためのプログラムを格納したことを特徴とするコンピュータが読み取り可能な記憶媒体。
【請求項１５】
コンピュータに、請求項１３に記載の撮像装置の制御方法の各工程を実行させるためのプログラムを格納したことを特徴とするコンピュータが読み取り可能な記憶媒体。
【発明の詳細な説明】
【技術分野】
【０００１】
本発明は、撮像システム、撮像装置、通信装置及びその制御方法及び記憶媒体に関し、更に詳しくは、撮像装置と通信装置間で通信を行う撮像システム及びその制御方法及び記憶媒体に関する。
【背景技術】
【０００２】
従来、固体メモリ素子を有するメモリカードを記録媒体として、静止画像や動画像を記録再生する電子カメラ等の撮像装置は既に市販されており、音声や画像を通信する携帯電話等の通信装置も販売されている。
【０００３】
これらの電子カメラや携帯電話からなる撮像システムを携行することにより、事務所や家庭等の屋内での作業に拘束されずに、屋外において機動的な業務推進を行うことが可能となっている。
【０００４】
【特許文献１】特開平１１−２７５４２５号公報
【特許文献２】特開平１１−１８７２７９号公報
【特許文献３】特開平１１−１８６９５４号公報
【特許文献４】特開平６−２０５２７４号公報
【発明の開示】
【発明が解決しようとする課題】
【０００５】
このような従来の電子カメラや携帯電話等の撮像システムにおいては、電子カメラを手に保持して撮影を行う場合、撮影の支障にならないように携帯電話を鞄等に収納することが多かった。
【０００６】
このため、電子カメラを使用して長時間の撮影取材を行う場合等に、携帯電話の電池残量の状態を確認する頻度が低くなり、いざ電話をする段階になって、初めて電池残量不足の状態に気付き、電話が行えないことがあり問題であった。
【０００７】
この場合、携帯電話が警告の音声を発すればその状態を知ることは可能である。
【０００８】
しかし、撮影の支障となるため音声を出さないようにする必要があり、その場合、携帯電話の電池残量不足の状態に気付くことが難しいという問題があった。
【０００９】
本発明は上記問題点を鑑みてなされたものであり、電子カメラなどの撮像装置において携帯電話等の通信装置のバッテリ状態を知ることのできる撮像システム、撮像装置、通信装置及び制御方法を提供することを目的とする。
【００１０】
また、撮像装置の動作状態に応じて、撮像装置における通信装置のバッテリ状態の表示を変更することで、利便性を高めることを更なる目的とする。
【課題を解決するための手段】
【００１７】
また、別の構成によれば、バッテリ駆動の通信装置と通信可能な本発明の撮像装置は、前記撮像装置の動作状態を判定する状態判定手段と、前記状態判定手段による判定の結果に基づき、前記通信装置のバッテリ残量を含む状態情報の通知を禁止する禁止通知または前記状態情報の通知を許可する許可通知を、前記通信装置に通知する送信手段と、前記許可通知に応じて前記通信装置から送信された前記状態情報を受信する受信手段と、前記受信手段により受信した前記状態情報に基づき、前記通信装置のバッテリ残量を表示する表示手段とを有する。
【００１８】
また、バッテリ駆動の通信装置と通信可能な撮像装置の本発明の制御方法は、前記撮像装置の動作状態を判定する状態判定工程と、前記状態判定工程による判定の結果に基づき、前記通信装置のバッテリ残量を含む状態情報の通知を禁止する禁止通知または前記状態情報の通知を許可する許可通知を、前記通信装置に通知する送信工程と、前記許可通知に応じて前記通信装置から送信された前記状態情報を受信する受信工程と、前記受信工程により受信した前記状態情報に基づき、前記通信装置のバッテリ残量を表示する表示工程とを有する。
【００２１】
また、別の構成によれば、撮像装置と通信可能なバッテリ駆動の本発明の通信装置は、前記通信装置のバッテリ残量を検出する検出手段と、前記通信装置のバッテリ残量を含む状態情報の通知を禁止する禁止通知または前記状態情報の通知を許可する許可通知を、前記撮像装置から受信する受信手段と、前記受信手段により前記許可通知を受信した場合、前記検出手段により検出されたバッテリ残量を含む状態情報を前記撮像装置に送信する送信手段とを有し、前記送信手段は、前記受信手段により前記禁止通知を受信した場合、前記状態情報を前記撮像装置に送信しない。
【００２２】
また、撮像装置と通信可能なバッテリ駆動の通信装置の本発明の制御方法は、前記通信装置のバッテリ残量を検出する検出工程と、前記通信装置のバッテリ残量を含む状態情報の通知を禁止する禁止通知または前記状態情報の通知を許可する許可通知を、前記撮像装置から受信する受信工程と、前記受信工程により前記許可通知を受信した場合、前記検出工程で検出されたバッテリ残量を含む状態情報を前記撮像装置に送信する送信工程とを有し、前記送信工程では、前記受信工程で前記禁止通知を受信した場合、前記状態情報を前記撮像装置に送信しない。
【発明の効果】
【００２３】
本発明によれば、電子カメラなどの撮像装置において携帯電話等の通信装置のバッテリ状態を知ることができる。
【発明を実施するための最良の形態】
【００２５】
以下、添付図面を参照して本発明を実施するための最良の形態を詳細に説明する。
【００２６】
［第１の実施形態］
図１は、本発明の実施の形態における撮像システムの全体構成を示す図である。
【００２７】
図１において、１００は撮像装置、２００は記録媒体、３００は通信装置である。
【００２８】
撮像装置１００は通信ユニット１１０及びアンテナ１１２を介して、通信装置３００は通信ユニット３３０及びアンテナ３３２を介して、無線通信により相互にコマンド、撮影画像を含むデータを送受している。
【００２９】
撮像装置１００と通信装置３００間の無線通信は、Ｂｌｕｅｔｏｏｔｈ等のスペクトラム拡散方式により行われている。
【００３０】
撮像装置１００は、レンズ３１０を通して撮像した画像データを通信ユニット１１０、アンテナ１１２、アンテナ３３２、通信ユニット３３０を介して、通信装置３００に送信し、通信装置３００は受信した画像データを着脱可能な記録媒体２００に記録すると共に、通信ユニット３２６、アンテナ３２８を介して、他の通信装置或いは通信基地局に送信することができる。
【００３１】
＜撮像装置１００の構成説明＞
次に、図２を参照して、前述した撮像装置１００の構成について説明する。
【００３２】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００３３】
１８は撮像素子１４、Ａ／Ｄ変換器１６、Ｄ／Ａ変換器２６にそれぞれクロック信号や制御信号を供給するタイミング発生回路であり、メモリ制御回路２２及びシステム制御回路５０により制御される。
【００３４】
２０は画像処理回路であり、Ａ／Ｄ変換器１６からの画像データ或いはメモリ制御回路２２からの画像データに対して所定の画素補間処理や色変換処理を行う。また、画像処理回路２０は、Ａ／Ｄ変換器１６から出力される画像データを用いて所定の演算処理を行い、得られた演算結果に基づいてシステム制御回路５０が露光制御部４０及び測距制御部４２に対して、スルー・ザ・レンズ（ＴＴＬ）方式のオートフォーカス（ＡＦ）処理、自動露出（ＡＥ）処理、フラッシュプリ発光（ＥＦ）処理を行っている。さらに、画像処理回路２０は、Ａ／Ｄ変換器１６から出力される画像データを用いて所定の演算処理を行い、得られた演算結果に基づいてＴＴＬ方式のオートホワイトバランス（ＡＷＢ）処理も行っている。
【００３５】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６から出力される画像データは、画像処理回路２０、メモリ制御回路２２を介して、或いはメモリ制御回路２２のみを介して、画像表示メモリ２４或いはメモリ３０に書き込まれる。
【００３６】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダー機能を実現することが可能である。また、画像表示部２８は、システム制御回路５０の指示により任意に表示をＯＮ／ＯＦＦすることが可能であり、表示をＯＦＦにした場合には撮像装置１００の電力消費を大幅に低減することができる。
【００３７】
３０は撮影した静止画像や動画像を格納するための揮発性メモリ及び／または不揮発性メモリからなるメモリであり、所定枚数の静止画像や所定時間の動画像を格納するのに充分な記憶容量を備えている。これにより、複数枚の静止画像を連続して撮影する連射撮影やパノラマ撮影の場合にも、高速かつ大量の画像をメモリ３０に書き込むことができる。また、メモリ３０はシステム制御回路５０の作業領域としても使用することが可能である。
【００３８】
３２は適応離散コサイン変換（ＡＤＣＴ）等により画像データを圧縮・伸長する圧縮・伸長回路であり、メモリ３０に格納された画像を読み込んで圧縮処理或いは伸長処理を行い、処理を終えたデータが再びメモリ３０に書き込まれる。
【００３９】
４０は絞り機能を備えるシャッター１２を制御する露光制御部であり、フラッシュ４８と連携することによりフラッシュ調光機能も有するものである。４２は撮影レンズ１０のフォーカシングを制御する測距制御部、４４は撮影レンズ１０のズーミングを制御するズーム制御部、４６はレンズを保護するためのバリア１０２の動作を制御するバリア制御部である。４８はフラッシュであり、ＡＦ補助光の投光機能、フラッシュ調光機能も有する。露光制御部４０及び測距制御部４２はＴＴＬ方式を用いて制御されており、上述の通り、Ａ／Ｄ変換器１６からの画像データを画像処理回路２０によって演算した演算結果に基づき、システム制御回路５０が露光制御部４０及び測距制御部４２を制御する。
【００４０】
５０は撮像装置１００全体を制御するシステム制御回路であり、５２はシステム制御回路５０の動作用の定数、変数、プログラム等を記憶するメモリである。
【００４１】
５４はシステム制御回路５０でのプログラムの実行に応じて、文字、画像、音声等を用いて動作状態やメッセージ等を外部に通知するための通知部であり、例えばＬＣＤやＬＥＤ等による視覚的な表示を行う表示部や、音声による通知を行う発音素子などが用いられるが、これらの内１つ以上の組み合わせにより構成される。特に、表示部の場合には、撮像装置１００の操作部７０近辺の視認し易い、単数或いは複数個所に設置されている。また、通知部５４は、その一部の機能が光学ファインダー１０４内に設置されている。
【００４２】
通知部５４の通知内容のうち、ＬＣＤ等に表示するものとしては、例えば、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示等がある。
【００４３】
また、通知部５４の通知内容のうち、光学ファインダー１０４内に表示するものとしては、例えば、合焦表示、撮影準備完了表示、手振れ警告表示、フラッシュ充電表示、フラッシュ充電完了表示、シャッタースピード表示、絞り値表示、露出補正表示等がある。
【００４４】
さらに、通知部５４の通知内容のうち、ＬＥＤ等で表示するものとしては、例えば、合焦表示、撮影準備完了表示、手振れ警告表示、手振れ警告表示、フラッシュ充電表示、フラッシュ充電完了表示、記録媒体書き込み動作表示、マクロ撮影設定通知表示、二次電池充電状態表示等がある。
【００４５】
そして、通知部５４の通知内容のうち、ランプ等により通知するものとしては、例えば、セルフタイマー通知ランプ等がある。このセルフタイマー通知ランプは、ＡＦ補助光と共用して用いても良い。
【００４６】
５６は電気的に消去・記録可能な不揮発性メモリであり、例えばＥＥＰＲＯＭ等が用いられる。
【００４７】
５８は識別情報保持部で、通信ユニット１１０、アンテナ１１２を介して通信装置３００と通信を行う際に、通信に先立って認証を行うための各種識別情報が格納されている。
【００４８】
６０、６２、６４、６６、６８、７０及び７２は、システム制御回路５０の各種の動作指示を入力するための操作手段であり、スイッチやダイアル、タッチパネル、視線検知によるポインティング、音声認識装置等の単数或いは複数の組み合わせで構成される。
【００４９】
ここで、これらの操作手段の具体的な説明を行う。
【００５０】
７２はメインスイッチで、電源オン及び電源オフを切り替え設定することができる。
【００５１】
６０はモードダイアルスイッチで、自動撮影モード、パノラマ撮影モード、その他の撮影モード、再生モード、マルチ画面再生・消去モード、ＰＣ接続モード等の各機能モードを切り替え設定することができる。
【００５２】
６２はシャッタースイッチＳＷ１で、不図示のシャッターボタンの半押しによりＯＮとなり、ＡＦ処理、ＡＥ処理、ＡＷＢ処理、ＥＦ処理等の動作開始を指示する。
【００５３】
６４はシャッタースイッチＳＷ２で、不図示のシャッターボタンの全押しによりＯＮとなり、撮像素子１４から読み出した信号をＡ／Ｄ変換器１６、メモリ制御回路２２を介して画像データをメモリ３０に書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００５４】
６６は単写／連写スイッチで、シャッタースイッチＳＷ２を押した場合に１駒の撮影を行って待機状態とする単写モードと、シャッタースイッチＳＷ２を押している間は連続して撮影を行い続ける連写モードとのいずれかに設定することができる。
【００５５】
６８は圧縮モードスイッチで、ＪＰＥＧ圧縮の圧縮率を選択するため、或いは撮像素子の信号をそのままディジタル化して記録媒体に記録するＣＣＤＲＡＷモードを選択するためのスイッチである。
【００５６】
７０は各種ボタンやタッチパネル等からなる操作部で、メニューボタン、セットボタン、マクロボタン、マルチ画面再生改ページボタン、フラッシュ設定ボタン、セルフタイマーボタン、メニュー移動＋（プラス）ボタン、メニュー移動−（マイナス）ボタン、再生画像移動＋（プラス）ボタン、再生画像移動−（マイナス）ボタン、撮影画質選択ボタン、露出補正ボタン、日付／時間設定ボタン、再生モード、マルチ画面再生・消去モード、ＰＣ接続モードなどの各機能モードを設定することができる再生スイッチ、シャッタースイッチＳＷ１を押したならばオートフォーカス動作を開始し、一旦合焦するとその合焦状態を保ち続けるワンショットＡＦモードと、シャッタースイッチＳＷ１を押している間は連続してオートフォーカス動作を続けるサーボＡＦモードとのいずれかを設定することができるＡＦモード設定スイッチ、画像表示部２８のＯＮ／ＯＦＦを設定する画像表示ＯＮ／ＯＦＦスイッチ、撮影直後に撮影した画像データを画像表示部２８で自動再生するクイックレビュー機能を設定するクイックレビューＯＮ／ＯＦＦスイッチ等がある。また、上記プラスボタン及びマイナスボタンの各機能は、回転ダイアルスイッチを備えることによって、より軽快に数値や機能を選択することが可能となる。
【００５７】
８０は電源制御部で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００５８】
８２、８４はコネクタ、８６はアルカリ電池やリチウム電池等の一次電池やＮｉＣｄ電池やＮｉＭＨ電池、Ｌｉ−ｉｏｎ電池等の二次電池、ＡＣアダプター等からなる電源部である。
【００５９】
１０２は、撮像装置１００のレンズ１０を含む撮像部を覆う事により、撮像部の汚れや破損を防止する保護装置であるバリアである。
【００６０】
１０４は光学ファインダであり、画像表示部２８による電子ファインダー機能を使用すること無しに、光学ファインダーのみを用いて撮影を行うことが可能である。また、光学ファインダー１０４内には、通知部５４の一部の機能、例えば、合焦状態、手振れ警告、フラッシュ充電、シャッタースピード、絞り値、露出補正などが表示される。
【００６１】
１１０は通信ユニットで、Ｂｌｕｅｔｏｏｔｈ等のスペクトラム拡散通信、ＩｒＤＡ等の赤外線通信等の各種近距離高速データ通信機能を有する。
【００６２】
１１２は通信ユニット１１０により撮像装置１００を他の機器と接続するためのアンテナである。
【００６３】
＜通信装置３００の構成説明＞
図３は、図２に示す通信装置３００の詳細構成を示すブロック図である。
【００６４】
図３において、３１０は音声を電気信号に変換するマイク、３１２はマイクのアナログ出力信号をディジタル信号に変換するＡ／Ｄ変換器である。３１４はメモリ制御回路であり、Ａ／Ｄ変換器３１２の出力データがメモリ制御回路３１４を介してメモリ３２０に書き込まれ、また、メモリ３２０から読み出されたデータがＤ／Ａ変換器３１６に入力される。３１６はディジタル信号をアナログ信号に変換するＤ／Ａ変換器、３１８は電気信号を音声信号に変換するスピーカーである。
【００６５】
３２０はマイク３１０で入力した音声及び／或いは撮像装置１００から送信された静止画像や動画像を格納するためのメモリであり、所定時間の音声及び／或いは所定枚数の静止画像、所定時間の動画像を格納するのに充分な記憶容量を備えている。
【００６６】
３２２はメモリ３２０に格納された静止画像データや動画データをアナログ信号に変換するＤ／Ａ変換器、３２４はＤ／Ａ変換器３２２の出力画像信号を表示する画像表示部である。３２６は通信ユニットで、ＴＤＭＡ、ＣＤＭＡ、Ｗ−ＣＤＭＡ等の各種遠距離無線通信機能を有する。３２８は通信ユニット３２６により通信装置３００を他の通信装置及び／或いは通信基地局と回線接続するためのアンテナである。
【００６７】
３３０は通信ユニットで、Ｂｌｕｅｔｏｏｔｈ等のスペクトラム拡散通信、ＩｒＤＡ等の赤外線通信等の各種近距離高速データ通信機能を有する。３３２は通信ユニット３３０により通信装置３００を他の機器と接続するためのアンテナである。
【００６８】
３５０は通信装置３００全体を制御する通信システム制御回路、３５２は通信システム制御回路３５０の動作用の定数、変数、プログラム等を記憶するメモリである。３５４は電気的に消去・記録可能な不揮発性メモリであり、例えばＥＥＰＲＯＭ等が用いられる。
【００６９】
３５６は識別情報保持部で、通信ユニット３３０、アンテナ３３２を介して撮像装置１００と通信を行う際に、通信に先立って認証を行うための各種識別情報が格納されている。
【００７０】
３６０は通信システム制御回路３５０でのプログラムの実行に応じて、文字、画像、音声等を用いて動作状態やメッセージ等を外部に通知するための通知部であり、例えばＬＣＤやＬＥＤ等による視覚的な表示を行う表示部や、音声による通知を行う発音素子などが用いられるが、これらの内１つ以上の組み合わせにより構成される。特に、表示部の場合には、通信装置３００の操作部３６２近辺の視認し易い単数或いは複数位置に設置されている。
【００７１】
３６２は通信システム制御回路３５０の各種の動作指示を入力するための操作手段であり、スイッチやダイアル、タッチパネル、視線検知によるポインティング、音声認識装置等の単数或いは複数の組み合わせで構成される。
【００７２】
操作手段３６２によれば、通信装置３００の電源オン／オフ、通話の実行（オフフック）／停止（オンフック）、電話番号入力、電話番号検索、通信モード切り替え、等の操作を行うことができる。
【００７３】
３６４は着信通知部で、他の通信装置や通信基地局から通話の着信があった場合に、呼出し音、発声音、音楽等の音声及び／或いはアイコン、動画、静止画、発光等の画像及び／或いは振動等により通信装置３００の使用者に着信を通知することができる。
【００７４】
３６６はコネクタ３９２に記録媒体２００が装着されているか否かを検知する記録媒体着脱検知部である。
【００７５】
３８０は電源制御部で、電池検出回路、ＤＣ−ＤＣコンバータ、通電するブロックを切り替えるスイッチ回路等により構成されており、電池の装着の有無、電池の種類、電池残量の検出を行い、検出結果及び通信システム制御回路３５０の指示に基づいてＤＣ−ＤＣコンバータを制御し、必要な電圧を必要な期間、記録媒体を含む各部へ供給する。
【００７６】
３８２、３８４はコネクタ、３８６はアルカリ電池やリチウム電池等の一次電池やＮｉＣｄ電池やＮｉＭＨ電池、Ｌｉ−ｉｏｎ電池、Ｌｉポリマー等の二次電池、ＡＣアダプター等からなる電源手段である。
【００７７】
３９０はメモリカードやハードディスク等の記録媒体とのインタフェース、３９２はメモリカードやハードディスク等の記録媒体と接続を行うコネクタである。
【００７８】
なお、本実施の形態では記録媒体を取り付けるインターフェース及びコネクタを１系統持つものとして説明しているが、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００７９】
インターフェース及びコネクタとしては、ＰＣＭＣＩＡカードやＣＦ（コンパクトフラッシュ（登録商標））カード、ＭＭＣ（マルチメディアカード）等の規格に準拠したものを用いて構成して構わない。
【００８０】
さらに、インタフェース３９０、そしてコネクタ３９２をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード等の各種通信カードを接続することにより、他のコンピュータやプリンタ等の周辺機器との間で画像データや画像データに付属した管理情報を転送し合うことができる。
【００８１】
２００はメモリカードやハードディスク等の記録媒体である。記録媒体２００は、半導体メモリや磁気ディスク等から構成される記録部２０２、通信装置３００とのインターフェース２０４、通信装置３００と接続を行うコネクタ２０６、識別情報保持部２０８を備えている。
【００８２】
＜撮像装置１００の動作説明＞
次に、上記構成を有する撮像装置１００の第１の実施形態における動作を、図４乃至図８を参照して説明する。
【００８３】
図４乃至図６は本第１の実施形態における撮像装置１００の主ルーチンのフローチャートを示す。図４乃至図６を用いて、撮像装置１００の動作を説明する。
【００８４】
図４のステップＳ１０１において、電池交換等の電源投入により、システム制御回路５０はフラグや制御変数等を初期化すると共に、画像制御装置１００各部の初期化処理を行う。初期化後、ステップＳ１０２においてシステム制御回路５０は、メインスイッチ７２の状態を判断し、電源ＯＦＦに設定されていたならば、ステップＳ１０３で通信装置３００の状態表示を禁止する設定を行ない、ステップＳ１０４に進む。
【００８５】
なお、通信装置３００の状態表示は、通信装置３００の通信ユニット３３０からアンテナ３３２、アンテナ１１２、通信ユニット１１０を介して通知された通信装置３００の状態を、システム制御回路５０の内部メモリ或いはメモリ５２に格納し、格納したデータを読み出して通知部５４及び／或いは画像表示部２８により表示することにより行われる。
【００８６】
システム制御回路５０は、各表示手段の表示を終了状態に変更し、バリア１０２等の保護手段を備えている場合はそれを閉じて撮像部を保護し、フラグや制御変数等を含む必要なパラメータや設定値、設定モードを不揮発性メモリ５６に記録し、電源制御部８０により画像表示部２８を含む撮像装置１００各部の不要な電源を遮断する等の所定の終了処理を行った後（ステップＳ１０４）、ステップＳ１０２に戻る。
【００８７】
ステップＳ１０２で、メインスイッチ７２が電源ＯＮに設定されていたならば、システム制御回路５０は、通信装置３００の状態表示を許可する設定を行ない（ステップＳ１０５）、ステップＳ１０６に進む。
【００８８】
ステップＳ１０６では、システム制御回路５０は、電源制御部８０により電池等により構成される電源部８６の残容量や動作情況が、撮像装置１００の動作を継続するには問題があるか否かを判断する。
【００８９】
電源部８６の残容量が撮像装置１００の動作を継続するのに問題がある場合はステップＳ１０７に進み、システム制御回路５０は、カメラ電池残量フラグを撮像装置１００の動作を継続するには問題がある状態であることを示すＥ（empty）の設定にして、ステップＳ１１１に進む。
【００９０】
また、電源部８６の残容量が所定の閾値より少ない場合は、ステップＳ１０６からステップＳ１０８に進み、システム制御回路５０は、カメラ電池残量フラグを撮像装置１００の動作を継続するには残り少ない状態であることを示すＬ（low）の設定にして、ステップＳ１１０に進む。
【００９１】
また、電源部８６の残容量が所定の閾値より多い場合は、ステップＳ１０９に進み、システム制御回路５０は、カメラ電池残量フラグを撮像装置１００の動作を継続するのに十分な状態であることを示すＨ（high）の設定にして、ステップＳ１１０に進む。
【００９２】
ステップＳ１１０において、システム制御回路５０は、撮像した画像データのバッファであるメモリ３０の動作状態が撮像装置１００の動作、特にメモリ３０に対する画像データの記憶読み出し動作に問題があるか否かを判断し、問題が無ければステップＳ１１３に進み、問題があるならばステップＳ１１１に進む。
【００９３】
ステップＳ１１１では、システム制御回路５０は、通知部５４及び／或いは画像表示部２８を用いて画像や音声により所定の警告を行う。そして、各表示手段の表示を終了状態に変更し、バリア１０２等の保護手段を備えている場合はそれを閉じて撮像部を保護し、フラグや制御変数等を含む必要なパラメータや設定値、設定モードを不揮発性メモリ５６に記録し、電源制御部８０により画像表示部２８を含む撮像装置１００各部の不要な電源を遮断する等の所定の終了処理を行った後（ステップＳ１１２）、ステップＳ１０２に戻る。
【００９４】
ステップＳ１１３では、システム制御回路５０は、通知部５４及び／或いは画像表示部２８を用いて画像や音声により電池残容量やメモリ３０の状態を含む撮像装置１００の各種設定状態の表示を行って、ステップＳ１１４に進む。
【００９５】
システム制御回路５０は、通信装置３００から通信ユニット３３０、アンテナ３３２、アンテナ１１２、通信ユニット１１０を介して通知を受信しているかどうかを判断し、通知を受信しているならば（ステップＳ１１４でＹＥＳ）、ステップＳ１１５に進み、通知を受信していないならば（ステップＳ１１４でＮＯ）、図５のステップＳ１３１に進む。
【００９６】
ステップＳ１１５では、システム制御回路５０は、通信ユニット１１０、アンテナ１１２、アンテナ３３２、通信ユニット３３０を介して、通信システム制御回路３５０に通信装置３００の識別情報保持部３５６の内容を問い合わせる。識別情報保持部３５６の内容を確認した結果、通信装置３００と通信を行っても問題無いと判断したならば（ステップＳ１１６でＹＥＳ）、ステップＳ１１７に進む。また、識別情報保持部３５６の内容を確認した結果、通信装置３００と通信を行うには問題があると判断したならば（ステップＳ１１６でＮＯ）、図５のステップＳ１３１に進む。
【００９７】
なお、通信装置３００の識別情報保持部３５６の内容を確認する際に、撮像装置１００の識別情報保持部５８を用いて行ってもよい。
【００９８】
これらの識別情報の確認により、撮像装置１００と通信装置３００間の認証を行うことができる。
【００９９】
ステップＳ１１７において、システム制御回路５０は、通信装置３００から通信ユニット３３０、アンテナ３３２、アンテナ１１２、通信ユニット１１０を介して通知を受信し、システム制御回路５０の内部メモリ或いはメモリ５２に格納する。そして、システム制御回路５０は、受信した通信装置３００の状態表示内容を、通知部５４及び／或いは画像表示部２８により表示するように設定し（ステップＳ１１８）、図５のステップＳ１３１に進む。
【０１００】
このように、通信装置３００からの各種の警告情報や各種の状態を示す情報を撮像装置１００の通知部５４及び／或いは画像表示部２８により表示することにより、撮像装置１００を使用中に通信装置３００の情報を知ることが可能となる。
【０１０１】
また、通信装置３００から受信した通知が呼出し開始通知或いは呼出し終了通知である場合、撮像装置１００の通知部５４及び／或いは画像表示部２８により表示することで、撮像装置１００を使用中に通信装置３００に対する他の通信装置或いは通信基地局からの呼出しを知ることが可能となる。
【０１０２】
図５のステップＳ１３１ではシステム制御回路５０は、シャッタースイッチＳＷ１が押されたかどうかを判断し、押されていないならば、図４のステップＳ１０１に戻る。
【０１０３】
シャッタースイッチＳＷ１が押されたならば（ステップＳ１３１でＹＥＳ）、ステップＳ１３２に進み、システム制御回路５０は、通信装置３００の状態表示を通知部５４及び／或いは画像表示部２８により表示することを禁止する設定を行なった後、ステップＳ１３３に進む。これにより、撮像装置１００に於いて撮影準備状態に入ったならば、撮像装置１００の通知部５４及び／或いは画像表示部２８の表示内容を、撮像装置１００固有の撮影に関する情報を表示する状態にして、撮影動作を行う上で利便性の良い表示状態を使用者に提供することが可能となる。
【０１０４】
そしてステップＳ１３３では、システム制御回路５０は測距処理を行って撮影レンズ１０の焦点を被写体に合わせ、測光処理を行って絞り値及びシャッター時間を決定し、ホワイトバランス処理を行って色温度をあわせる。測光処理に於いて、必要であればフラッシュの設定も行う。
【０１０５】
なお、ステップＳ１３３の測距・測光処理においては、システム制御回路５０の内部メモリ或いはメモリ５２に記憶された撮影開始フラグ及び／或いはＡＥロックフラグ及び／或いはホワイトバランスモード設定フラグの状態に応じて、ＡＥ制御及び／或いはＡＷＢ制御の実行の可否を判断し、判断結果に応じて各々の処理を行う。なお、このステップＳ１３３における測距・測光処理の詳細は、図７を用いて後述する。
【０１０６】
ステップＳ１３３の測距・測光処理を終えると、システム制御回路５０は、システム制御回路５０の内部メモリ或いはメモリ５２に記憶されたフラッシュフラグの状態を判断し（ステップＳ１３４）、フラッシュフラグが設定されていたならば、フラッシュ４８の充電を行い（ステップＳ１３５）、ステップＳ１３６に進む。また、フラッシュフラグが設定されていないならば、そのままステップＳ１３６に進む。
【０１０７】
システム制御回路５０は、シャッタースイッチＳＷ２が押されずに（ステップＳ１３６でＮＯ）、さらにシャッタースイッチＳＷ１も解除されたならば（ステップＳ１３７でＮＯ）、通信装置３００の状態表示を通知部５４及び／或いは画像表示部２８により表示することを許可する設定を行ない（ステップＳ１３８）、図４のステップＳ１０２に戻る。
【０１０８】
これにより、撮像装置１００に於いて撮影準備状態が終了したならば、撮像装置１００の通知部５４及び／或いは画像表示部２８の表示内容を、撮像装置１００固有の撮影に関する情報を表示する状態から、通信装置３００からの通知を表示する状態とする、或いは撮像装置１００固有の撮影に関する情報及び通信装置３００からの通知を表示する状態とすることができる。そして、通信装置３００からの各種警告情報や各種状態を示す情報を撮像装置１００の通知部５４及び／或いは画像表示部２８により表示して、撮像装置１００を使用中に通信装置３００の情報を知ることが可能となる。また、通信装置３００からの呼出し開始通知或いは呼出し終了通知を、撮像装置１００の通知部５４及び／或いは画像表示部２８により表示して、撮像装置１００を使用中に通信装置３００に対する他の通信装置或いは通信基地局からの呼出しを知ることが可能となる。
【０１０９】
また、シャッタースイッチＳＷ２が押されたならば（ステップＳ１３６でＹＥＳ）、図６のステップＳ１６１に進む。
【０１１０】
ステップＳ１６１において、システム制御回路５０は、撮像素子１２、Ａ／Ｄ変換器１６、画像処理回路２０、メモリ制御回路２２を介して、或いはＡ／Ｄ変換器から直接メモリ制御回路２２を介して、メモリ３０に撮影した画像データを書き込む露光処理からなる撮影処理を実行する。このステップＳ１６１における撮影処理の詳細は図８を用いて後述する。
【０１１１】
システム制御回路５０は、メモリ制御回路２２そして必要に応じて画像処理回路２０を用いて、メモリ３０に書き込まれた撮影画像データを読み出して各種処理を行う現像処理（ステップＳ１６２）、また、必要に応じて、圧縮・伸長回路３２を用いて設定したモードに応じた画像圧縮処理を行う圧縮処理を行った後（ステップＳ１６３）、メモリ３０に所定の処理を行った画像データを記憶する（ステップＳ１６４）。
【０１１２】
ステップＳ１６５において、システム制御回路５０はシャッタースイッチＳＷ１の状態を判断し、シャッタースイッチＳＷ１が放されたならば、通信装置３００の状態を通知部５４及び／或いは画像表示部２８に表示することを許可する設定を行ない（ステップＳ１６６）、ステップＳ１６７に進む。
【０１１３】
これにより、撮像装置１００に於いて撮影準備状態が終了したならば、撮像装置１００の通知部５４及び／或いは画像表示部２８の表示内容を、撮像装置１００固有の撮影に関する情報を表示する状態から、通信装置３００からの通知を表示する状態とする、或いは撮像装置１００固有の撮影に関する情報及び通信装置３００からの通知を表示する状態とすることができる。そして、通信装置３００からの各種警告情報や各種状態を示す情報を撮像装置１００の通知部５４及び／或いは画像表示部２８により表示して、撮像装置１００を使用中に通信装置３００の情報を知ることが可能となる。また、通信装置３００からの呼出し開始通知或いは呼出し終了通知を、撮像装置１００の通知部５４及び／或いは画像表示部２８により表示して、撮像装置１００を使用中に通信装置３００に対する他の通信装置或いは通信基地局からの呼出しを知ることが可能となる。
【０１１４】
ステップＳ１６７において、システム制御回路５０は、通信ユニット１１０、アンテナ１１２、アンテナ３３２、通信ユニット３３０を介して、通信システム制御回路３５０に通信装置３００の識別情報保持部３５６の内容を問い合わせる。識別情報保持部３５６の内容を確認した結果、通信装置３００と通信を行っても問題無いと判断したならば（ステップＳ１６８でＹＥＳ）、ステップＳ１６９に進む。
【０１１５】
また、識別情報保持部３５６の内容を確認した結果、通信装置３００と通信を行うには問題があると判断したならば（ステップＳ１６８でＮＯ）、システム制御回路５０は、通知部５４及び／或いは画像表示部２８を用いて画像や音声により所定の警告を行い（ステップＳ１７１）、図４のステップＳ１０２に戻る。
【０１１６】
なお、通信装置３００の識別情報保持部３５６の内容を確認する際に、撮像装置１００の識別情報保持部５８を用いて行ってもよい。
【０１１７】
これらの識別情報の確認により、撮像装置１００と通信装置３００間の認証を行うことができる。
【０１１８】
ステップＳ１６９において、システム制御回路５０は、所定の撮影処理、現像処理、圧縮処理等を行ってメモリ３０に記憶した画像データを読み出し、通信ユニット１１０、アンテナ１１２を介して通信装置３００に対して画像通信を行う。
【０１１９】
画像通信を終了したならば（ステップＳ１７０でＹＥＳ）、図４のステップＳ１０２に戻る。
【０１２０】
なお、ステップＳ１６９における画像データの送信は、撮像装置１００のオペレータによる指示または通信装置３００からのリクエストに応じて行うように構成できることはいうまでもない。
【０１２１】
次に、図７のフローチャートを参照して、図５のステップＳ１３３における測距・測光処理を詳細に説明する。
【０１２２】
図７は、図５のＳ１３３における測距・測光処理の詳細なフローチャートを示す。
【０１２３】
ステップＳ１００１において、システム制御回路５０は、撮像素子１４から電荷信号を読み出し、Ａ／Ｄ変換器１６を介して画像処理回路２０に撮影画像データを逐次読み込む。この逐次読み込まれた画像データを用いて、画像処理回路２０はＴＴＬ方式のＡＥ処理、ＥＦ処理、ＡＦ処理に用いる所定の演算を行っている。
【０１２４】
なお、ここでの各処理は、撮影した全画素数のうちの必要に応じた特定の部分を必要個所分切り取って抽出し、演算に用いている。これにより、ＴＴＬ方式のＡＥ、ＥＦ、ＡＷＢ、ＡＦの各処理において、中央重点モード、平均モード、評価モードの各モード等の異なるモード毎に最適な演算を行うことが可能となる。
【０１２５】
画像処理回路２０での演算結果を用いて、システム制御回路５０は露出（ＡＥ）が適正と判断するまで（すなわち、ステップＳ１００２でＹＥＳとなるまで）、ステップＳ１００３で露光制御部４０を用いてＡＥ制御を行う。
【０１２６】
ステップＳ１００３でＡＥ制御で得られた測定データを用いて、システム制御回路５０はステップＳ１００４においてフラッシュが必要か否かを判断し、フラッシュが必要ならばフラッシュフラグをセットして、ステップＳ１００５でフラッシュ４８を充電する。
【０１２７】
露出（ＡＥ）が適正と判断したならば（ステップＳ１００２でＹＥＳ）、測定データ及び／或いは設定パラメータをシステム制御回路５０の内部メモリ或いはメモリ５２に記憶する。
【０１２８】
次に、画像処理回路２０での演算結果及びＡＥ制御で得られた測定データを用いて、システム制御回路５０はホワイトバランス（ＡＷＢ）が適正と判断するまで（すなわち、ステップＳ１００６でＹＥＳとなるまで）、ステップＳ１００７で画像処理回路２０を用いて色処理のパラメータを調節してＡＷＢ制御を行う。
【０１２９】
ホワイトバランス（ＡＷＢ）が適正と判断したならば（ステップＳ１００６でＹＥＳ）、測定データ及び／或いは設定パラメータをシステム制御回路５０の内部メモリ或いはメモリ５２に記憶する。
【０１３０】
更に、ＡＥ制御及びＡＷＢ制御で得られた測定データを用いて、システム制御回路５０は焦点（ＡＦ）が合焦したと判断するまで（すなわち、ステップＳ１００８でＹＥＳとなるまで）、ステップＳ１００９で測距制御部４２を用いてＡＦ制御を行う。
【０１３１】
焦点（ＡＦ）が合焦したと判断したならば（ステップＳ１００８でＹＥＳ）、測定データ及び／或いは設定パラメータをシステム制御回路５０の内部メモリ或いはメモリ５２に記憶し、図５のステップＳ１３３における測距・測光処理ルーチンを終了する。
【０１３２】
次に、図８のフローチャートを参照して、図６のステップＳ１６１における撮影処理を詳細に説明する。
【０１３３】
ステップＳ１１０１において、システム制御回路５０は、システム制御回路５０の内部メモリ或いはメモリ５２に記憶される測光データに従い、露光制御部４０によって、絞り機能を有するシャッター１２を絞り値に応じて開放して、ステップＳ１１０２で撮像素子１４の露光を開始する。
【０１３４】
ステップＳ１１０３で、フラッシュ・フラグによりフラッシュ４８による調光が必要か否かを判断し、必要な場合はフラッシュを発光させる（ステップＳ１１０４）。
【０１３５】
システム制御回路５０は、ステップＳ１１０５で測光データに従って撮像素子１４の露光終了を待ち、露光が終了すると、ステップＳ１１０６でシャッター１２を閉じて撮像素子１４から電荷信号を読み出し、ステップＳ１１０７においてＡ／Ｄ変換器１６、画像処理回路２０、メモリ制御回路２２を介して、或いはＡ／Ｄ変換器１６から直接メモリ制御回路２２を介して、メモリ３０に撮影画像のデータを書き込む。
【０１３６】
一連の処理を終えると、図６のステップＳ１６１における撮影処理ルーチンを終了する。
【０１３７】
＜通信装置３００の動作説明＞
次に図９及び図１０を参照して、第１の実施形態における通信装置３００の動作を説明する。
【０１３８】
図９及び図１０は、本第１の実施形態における通信装置３００の主ルーチンのフローチャートを示す。
【０１３９】
図９のステップＳ２０１において、電池交換等の電源投入により、通信システム制御回路３５０はフラグや制御変数等を初期化し、続いてステップＳ２０２で、操作手段３６２に含まれる電源スイッチの設定状態を判断する。電源スイッチが電源ＯＦＦに設定されていたならば（ステップＳ２０２でＮＯ）、各表示手段の表示を終了状態に変更し、フラグや制御変数等を含む必要なパラメータや設定値、設定モードを不揮発性メモリ３５４に記録し、電源制御部３８０により画像表示部３２４を含む通信装置３００各部の不要な電源を遮断する等の所定の終了処理を行った後（ステップＳ２０３）、ステップＳ２０２に戻る。
【０１４０】
操作手段３６２に含まれる電源スイッチが電源ＯＮに設定されていたならば（ステップＳ２０２でＹＥＳ）、ステップＳ２０４に進み、通信システム制御回路３５０は、電源制御部３８０により電池等により構成される電源部３８６の残容量や動作情況が通信装置３００の動作に問題がを与えるものであるか否かを判断する。
【０１４１】
電源部３８６の残容量や動作情況が通信装置３００の動作に問題を与えるならば、通信システム制御回路３５０は、携帯電話電池残量フラグを通信装置３００の動作を継続するには問題がある状態であることを示すＥ（empty）の設定にして（ステップＳ２０５）、ステップＳ２０８に進む。
【０１４２】
ステップＳ２０８で通信システム制御回路３５０は、通信ユニット３３０、アンテナ３３２、アンテナ１１２、通信ユニット１１０を介して、システム制御回路５０に撮像装置１００の識別情報保持部５８の内容を問い合わせる。識別情報保持部５８の内容を確認した結果、撮像装置１００と通信を行っても問題無いと判断したならば（ステップＳ２０９でＹＥＳ）、ステップＳ２１０に進む。
【０１４３】
また、識別情報保持部５８の内容を確認した結果、撮像装置１００と通信を行うには問題があると判断したならば（ステップＳ２０９でＮＯ）、ステップＳ２１１に進む。
【０１４４】
なお、撮像装置１００の識別情報保持部５８の内容を確認する際に、通信装置３００の識別情報保持部３５６を用いて行ってもよい。
【０１４５】
これらの識別情報の確認により、撮像装置１００と通信装置３００間の認証を行うことができる。
【０１４６】
ステップＳ２１０では、通信システム制御回路３５０は、通信ユニット３３０、アンテナ３３２を介して撮像装置１００に対して、通信装置３００の各種緊急状態を示す所定の警告通知を行い、ステップＳ２１１に進む。
【０１４７】
そして、通信システム制御回路３５０は、通知部３６０を用いて画像や音声により所定の警告を行った後に、各表示手段の表示を終了状態に変更し、フラグや制御変数等を含む必要なパラメータや設定値、設定モードを不揮発性メモリ３５４に記録し、電源制御部３８０により画像表示部３２４を含む通信装置３００各部の不要な電源を遮断する等の所定の終了処理を行った後（ステップＳ２１２）、ステップＳ２０２に戻る。
【０１４８】
これにより、例えば通信装置３００を鞄にしまって、撮像装置１００を用いて撮影を行おうとしているような使用状況に於いても、通信装置３００の状態を撮像装置１００に通知することにより、撮像システムの使用者に対して速やかな警告を行うことが可能となり、その結果、利便性の良いシステムを提供することが可能となる。
【０１４９】
また、電源部３８６の残容量が所定の閾値より少ない場合は、ステップＳ２０４からステップＳ２０６に進み、通信システム制御回路３５０は、携帯電話電池残量フラグを通信装置３００の動作を継続するには残り少ない状態であることを示すＬ（low）の設定にして、ステップＳ２１３に進む。
【０１５０】
また、電源部３８６の残容量が所定の閾値より多い場合は、ステップＳ２０７に進み、通信システム制御回路３５０は、携帯電話電池残量フラグを通信装置３００の動作を継続するのに十分な状態であることを示すＨ（high）の設定にして、ステップＳ２１３に進む。
【０１５１】
ステップＳ２１３では、通信システム制御回路３５０は、通信ユニット３３０、アンテナ３３２、アンテナ１１２、通信ユニット１１０を介して、システム制御回路５０に撮像装置１００の識別情報保持部５８の内容を問い合わせる。識別情報保持部５８の内容を確認した結果、撮像装置１００と通信を行っても問題無いと判断したならば（ステップＳ２１４でＹＥＳ）、ステップＳ２１５に進む。また、識別情報保持部５８の内容を確認した結果、撮像装置１００と通信を行うには問題があると判断したならば（ステップＳ２１４でＮＯ）、ステップＳ２１６に進む。
【０１５２】
なお、撮像装置１００の識別情報保持部５８の内容を確認する際に、通信装置３００の識別情報保持部３５６を用いて行ってもよい。
【０１５３】
これらの識別情報の確認により、撮像装置１００と通信装置３００間の認証を行うことができる。
【０１５４】
ステップＳ２１５において、通信システム制御回路３５０は、通信ユニット３３０、アンテナ３３２を介して撮像装置１００に対して、通信装置３００の各種状態を示す所定の状態通知を行う。なお、所定の状態通知としては、電波強度通知、圏外通知、電池残量通知等がある。
【０１５５】
これにより、例えば通信装置３００を鞄にしまって、撮像装置１００を用いて撮影を行おうとしているような使用状況に於いても、通信装置３００の状態を撮像装置１００に通知することにより、撮像システムの使用者に対して速やかな状態報知を行うことが可能となり、その結果、利便性の良いシステムを提供することが可能となる。
【０１５６】
その後、通信システム制御回路３５０は、表示手段３６０を用いて画像や音声により電池残容量の状態を含む通信装置３００の各種設定状態の表示を行った後（ステップＳ２１６）、他の通信装置或いは通信基地局からの着信呼出しを待つ待ち受け状態で待機する（ステップＳ２１７）。
【０１５７】
ステップＳ２１８で通信システム制御回路３５０は、撮像装置１００から通信ユニット１１０、アンテナ１１２、アンテナ３３２、通信ユニット３３０を介して画像データを受信しているかどうかを判断し、画像データを受信しているならば、ステップＳ２１９に進み、画像データを受信していないならば、図１０のステップＳ２４１に進む。
【０１５８】
ステップＳ２１９で通信システム制御回路３５０は、通信ユニット３３０、アンテナ３３２、アンテナ１１２、通信ユニット１１０を介して、システム制御回路５０に撮像装置１００の識別情報保持部５８の内容を問い合わせる。識別情報保持部５８の内容を確認した結果、撮像装置１００と通信を行っても問題無いと判断したならば（ステップＳ２２０でＹＥＳ）、ステップＳ２２１に進む。
【０１５９】
また、識別情報保持部５８の内容を確認した結果、撮像装置１００と通信を行うには問題があると判断したならば（ステップＳ２２０でＮＯ）、図１０のステップＳ２４１に進む。
【０１６０】
なお、撮像装置１００の識別情報保持部５８の内容を確認する際に、通信装置３００の識別情報保持部３５６を用いて行ってもよい。
【０１６１】
これらの識別情報の確認により、撮像装置１００と通信装置３００間の認証を行うことができる。
【０１６２】
ステップＳ２２１では、通信システム制御回路３５０は、撮像装置１００から通信ユニット１１０、アンテナ１１２、アンテナ３３２、通信ユニット３３０を介して受信した画像データをメモリ３２０に順次記憶し、そして、記憶した画像データを順次読み出してインタフェース３９０、コネクタ３９２、コネクタ２０６、インタフェース２０４を介して記録媒体２００の記録部２０２に記録する。
【０１６３】
なお、メモリ３２０に記憶した画像データを、Ｄ／Ａ変換器３２２を介して画像表示部３２４に表示することも可能である。この場合、画像表示部３２４の仕様に合わせて、メモリ制御回路３１４によって所定の補間或いは間引き処理、所定の色処理を行った後に、画像表示部３２４に受信した画像データを表示する。一連の記録動作を終えたならば（ステップＳ２２２でＹＥＳ）、図１０のステップＳ２４１に進む。
【０１６４】
ステップＳ２４１において、通信システム制御回路３５０は、他の通信装置或いは通信基地局から、アンテナ３２８及び通信ユニット３２６を介して着信呼出しがあるかどうかを判断する。他の通信装置或いは通信基地局から着信呼出しが無いならば（ステップＳ２４１でＮＯ）、ステップＳ２４２に進み、他の通信装置或いは通信基地局から着信呼出しがあるならば（ステップＳ２４１でＹＥＳ）、ステップＳ２４７に進む。
【０１６５】
ステップＳ２４２において、通信システム制御回路３５０は、操作手段３６２に含まれるオフフック（通話開始）スイッチが設定されているかどうかを判断し、設定されていないならば（ステップＳ２４２でＮＯ）、図９のステップＳ２０２に戻る。
【０１６６】
操作手段３６２に含まれるオフフック（通話開始）スイッチが設定され（ステップＳ２４２でＹＥＳ）、操作手段３６２によって発信呼出しの設定が行われたならば（ステップＳ２４３でＹＥＳ）、通信システム制御回路３５０は、設定された電話番号に応じた発信呼出しを他の通信装置或いは通信基地局に対して行う（ステップＳ２４４）。
【０１６７】
他の通信装置或いは通信基地局との回線が接続されない間（ステップＳ２４５ＮＯ）、操作手段３６２に含まれるオンフック（通話打ち切り）スイッチが設定されるまで（すなわちステップＳ２４６でＹＥＳとなるまで）、通信システム制御回路３５０は、ステップＳ２４４に戻って一連の処理を繰り返す。
【０１６８】
他の通信装置或いは通信基地局との回線が接続されたならば（ステップＳ２４５でＹＥＳ）、ステップＳ２６７に進む。
【０１６９】
また、ステップＳ２４１で着信呼出しを検知するとステップＳ２４７に進み、通信システム制御回路３５０は、通信ユニット３３０、アンテナ３３２、アンテナ１１２、通信ユニット１１０を介して、システム制御回路５０に撮像装置１００の識別情報保持部５８の内容を問い合わせる。識別情報保持部５８の内容を確認した結果、撮像装置１００と通信を行うには問題があると判断したならば（ステップＳ２４８でＮＯ）、ステップＳ２４９に進む。
【０１７０】
また、ステップＳ２４７で問い合わせた識別情報保持部５８の内容を確認した結果、撮像装置１００と通信を行っても問題無いと判断したならば（ステップＳ２４８でＹＥＳ）、ステップＳ２５０に進む。
【０１７１】
なお、撮像装置１００の識別情報保持部５８の内容を確認する際に、通信装置３００の識別情報保持部３５６を用いて行ってもよい。
【０１７２】
これらの識別情報の確認により、撮像装置１００と通信装置３００間の認証を行うことができる。
【０１７３】
ステップＳ２４９では、通信システム制御回路３５０は、着信通知部３６４による呼出し音や振動等を用いた通信装置３００の使用者への着信通知を開始する。
【０１７４】
また、ステップＳ２５０では、通信システム制御回路３５０は、通信ユニット３３０、アンテナ３３２を介して撮像装置１００に対して、呼出し開始通知を行うと共に、呼出しフラグの設定を行って（ステップＳ２５１）、ステップＳ２５２に進む。なお、この呼出しフラグは、通信システム制御回路３５０の内部メモリ及び／或いはメモリ３５２の所定領域に記憶される。
【０１７５】
このように、通信装置３００に対する着信呼出しを撮像装置１００に通知することによって、撮像装置１００の使用中に於いても、通信装置３００に対して着信呼出しが生じていることを報知することが可能となる。
【０１７６】
操作手段３６２に含まれるオフフック（通話開始）スイッチが設定されないならば（ステップＳ２５２でＮＯ）、通信システム制御回路３５０は、他の通信装置或いは通信基地局からの着信呼出しが終了したかどうかを判断し（ステップＳ２５３）、着信呼出しが終了していたならば、ステップＳ２５４に進む。また、着信呼出しが終了していないならば（ステップＳ２５３でＮＯ）、ステップＳ２５２に戻る。
【０１７７】
ステップＳ２５４において、通信システム制御回路３５０は、通信システム制御回路３５０の内部メモリ及び／或いはメモリ３５２の所定領域に記憶された呼出しフラグの状態を判断する。呼出しフラグが設定されていたならばステップＳ２５６に進み、解除されていたならばステップＳ２５５に進む。
【０１７８】
ステップＳ２５６において、通信システム制御回路３５０は、通信ユニット３３０、アンテナ３３２、アンテナ１１２、通信ユニット１１０を介して、システム制御回路５０に撮像装置１００の識別情報保持部５８の内容を問い合わせる。識別情報保持部５８の内容を確認した結果、撮像装置１００と通信を行っても問題無いと判断したならば（ステップＳ２５７でＹＥＳ）、ステップＳ２５８に進む。
【０１７９】
また、識別情報保持部５８の内容を確認した結果、撮像装置１００と通信を行うには問題があると判断したならば（ステップＳ２５７でＮＯ）、ステップＳ２５５に進む。
【０１８０】
なお、撮像装置１００の識別情報保持部５８の内容を確認する際に、通信装置３００の識別情報保持部３５６を用いて行ってもよい。
【０１８１】
これらの識別情報の確認により、撮像装置１００と通信装置３００間の認証を行うことができる。
【０１８２】
ステップＳ２５５では、通信システム制御回路３５０は、着信通知部３６４による呼出し音や振動等を用いた通信装置３００の使用者への着信通知を終了し、図９のステップＳ２０２に戻る。
【０１８３】
また、ステップＳ２５８では、通信システム制御回路３５０は、通信ユニット３３０、アンテナ３３２を介して撮像装置１００に対して、呼出し終了通知を行うと共に、呼出しフラグの解除を行って（ステップＳ２５９）、図９のステップＳ２０２に戻る。
【０１８４】
また、ステップＳ２５２において操作手段３６２に含まれるオフフック（通話開始）スイッチが設定されていると判断されたならば、ステップＳ２６０に進み、通信システム制御回路３５０は、通信システム制御回路３５０の内部メモリ及び／或いはメモリ３５２の所定領域に記憶された呼出しフラグの状態を判断する。呼出しフラグが設定されていたならばステップＳ２６２に進み、設定されていないならばステップＳ２６１に進む。
【０１８５】
ステップＳ２６２で、通信システム制御回路３５０は、通信ユニット３３０、アンテナ３３２、アンテナ１１２、通信ユニット１１０を介して、システム制御回路５０に撮像装置１００の識別情報保持部５８の内容を問い合わせる。識別情報保持部５８の内容を確認した結果、撮像装置１００と通信を行っても問題無いと判断したならば（ステップＳ２６３でＹＥＳ）、ステップＳ２６４に進む。
【０１８６】
また、識別情報保持部５８の内容を確認した結果、撮像装置１００と通信を行うには問題があると判断したならば（ステップＳ２６３でＮＯ）、ステップＳ２６１に進む。
【０１８７】
なお、撮像装置１００の識別情報保持部５８の内容を確認する際に、通信装置３００の識別情報保持部３５６を用いて行ってもよい。
【０１８８】
これらの識別情報の確認により、撮像装置１００と通信装置３００間の認証を行うことができる。
【０１８９】
ステップＳ２６１では、通信システム制御回路３５０は、着信通知部３６４による呼出し音や振動等を用いた通信装置３００の使用者への着信通知を終了し、ステップＳ２６６に進む。
【０１９０】
また、ステップＳ２６４では、通信システム制御回路３５０は、通信ユニット３３０、アンテナ３３２を介して撮像装置１００に対して、呼出し終了通知を行うと共に、呼出しフラグの解除を行って（ステップＳ２６５）、ステップＳ２６６に進む。
【０１９１】
なお、この呼出しフラグは、通信システム制御回路３５０の内部メモリ及び／或いはメモリ３５２の所定領域に記憶される。
【０１９２】
ステップＳ２６６では、通信システム制御回路３５０は、アンテナ３２８、通信ユニット３２６を介して、通信装置３００に対して着信呼出しを行った他の通信装置或いは通信基地局を介した他の通信装置との回線を接続し、他の通信装置或いは通信基地局を介した他の通信装置との通話動作を行う（Ｓ２６７）。
【０１９３】
通話動作に於いては、他の通信装置或いは通信基地局を介した他の通信装置から、アンテナ３２８及び通信ユニット３２６を介して受信した音声データをメモリ３２０に記憶し、メモリ３２０から読み出した音声データをメモリ制御回路３１４によって所定の復号処理や音声処理を施した後に、Ｄ／Ａ変換器３１６を介してスピーカー３１８で音声信号に変換して伝えることができる。
【０１９４】
また、発声した音声をマイク３１０及びＡ／Ｄ変換器３１６を介してメモリ制御回路３１４で所定の音声処理や符号化を施してメモリ３２０に記憶し、メモリ３２０から読み出した音声データを通信ユニット３２６及びアンテナ３２８を介して他の通信装置或いは通信基地局を介した他の通信装置に送信することができる。
【０１９５】
他の通信装置或いは通信基地局を介した他の通信装置からの通話が終了するか（ステップＳ２６８でＹＥＳ）、或いは通話が終了していなくても（ステップＳ２６８でＮＯ）、操作手段３６２に含まれるオンフック（通話打ち切り）スイッチが設定されたならば（ステップＳ２６９でＹＥＳ）、通信システム制御回路３５０は、通話を行っていた他の通信装置或いは通信基地局を介した他の通信装置との回線を切断し（ステップＳ２７０）、図９のステップＳ２０２に戻る。
【０１９６】
以上説明した様に、第１の実施形態によれば、通信装置３００は通信装置３００の状態を撮像装置１００に通知し、撮像装置１００は撮像装置１００の動作状態を判断し、判断した結果に応じて通信装置３００の状態表示を撮像装置１００において行うことが可能となる。
【０１９７】
また、通信装置３００は通信装置３００の電池残量状態を含む各種状態を撮像装置１００に通知し、撮像装置１００は撮像装置１００の撮影準備動作及び／或いは撮影動作の状態を判断し、判断した結果に応じて通信装置３００の電池残量状態を含む各種状態表示を撮像装置１００において行うことが可能となる。
【０１９８】
そして、通信装置３００は通信装置３００の着信呼出し状態を撮像装置１００に通知し、撮像装置１００は撮像装置１００の撮影準備動作及び／或いは撮影動作の状態を判断し、判断した結果に応じて通信装置３００の着信呼出し表示を撮像装置１００において行うことが可能となる。
【０１９９】
［第２の実施形態］
次に、本発明の第２の実施形態を説明する。なお、撮像システムの各装置の構成は第１の実施形態において図１乃至図３を参照して説明したものと同様であるので、ここでは説明を省略する。
【０２００】
＜撮像装置１００の動作説明＞
まず、図１１乃至図１３を参照して、撮像装置１００の第２の実施形態における動作を説明する。図１１乃至図１３は本第２の実施形態における撮像装置１００の主ルーチンのフローチャートを示す。
【０２０１】
図１１のステップＳ３０１において、電池交換等の電源投入により、システム制御回路５０はフラグや制御変数等を初期化すると共に、画像制御装置１００各部の初期化処理を行う。初期化後、ステップＳ３０２においてシステム制御回路５０は、メインスイッチ７２の状態を判断し、電源ＯＦＦに設定されていたならば、ステップＳ３０３に進み、通信ユニット１１０、アンテナ１１２、アンテナ３３２、通信ユニット３３０を介して、通信システム制御回路３５０に通信装置３００の識別情報保持部３５６の内容を問い合わせる。
【０２０２】
識別情報保持部３５６の内容を確認した結果、通信装置３００と通信を行っても問題無いと判断したならば（ステップＳ３０４でＹＥＳ）、ステップＳ３０５に進む。また、識別情報保持部３５６の内容を確認した結果、通信装置３００と通信を行うには問題があると判断したならば（ステップＳ３０４でＮＯ）、ステップＳ３０６に直接進む。
【０２０３】
なお、通信装置３００の識別情報保持部３５６の内容を確認する際に、撮像装置１００の識別情報保持部５８を用いて行ってもよい。
【０２０４】
これらの識別情報の確認により、撮像装置１００と通信装置３００間の認証を行うことができる。
【０２０５】
ステップＳ３０５では、システム制御回路５０は、通信ユニット１１０、アンテナ１１２、アンテナ３３２、通信ユニット３３０を介して、通信装置３００に対し、通信装置３００の状態表示を撮像装置１００において禁止する旨の通知を行い、ステップＳ３０６に進む。なお、後述するが、通信装置３００はこの通知を受けると、撮像装置１００に対する通信装置３００の状態送信を行わない。
【０２０６】
また、通信装置３００の状態表示は、通信装置３００の通信ユニット３３０からアンテナ３３２、アンテナ１１２、通信ユニット１１０を介して通知された通信装置３００の状態を、システム制御回路５０の内部メモリ或いはメモリ５２に格納し、格納したデータを読み出して通知部５４及び／或いは画像表示部２８により表示することにより行われる。
【０２０７】
システム制御回路５０は、各表示手段の表示を終了状態に変更し、バリア１０２等の保護手段を備えている場合はそれを閉じて撮像部を保護し、フラグや制御変数等を含む必要なパラメータや設定値、設定モードを不揮発性メモリ５６に記録し、電源制御部８０により画像表示部２８を含む撮像装置１００各部の不要な電源を遮断する等の所定の終了処理を行った後（ステップＳ３０６）、ステップＳ３０２に戻る。
【０２０８】
また、ステップＳ３０２でメインスイッチ７２が電源ＯＮに設定されていたならば、ステップＳ３０７に進み、通信ユニット１１０、アンテナ１１２、アンテナ３３２、通信ユニット３３０を介して、通信システム制御回路３５０に通信装置３００の識別情報保持部３５６の内容を問い合わせる。
【０２０９】
識別情報保持部３５６の内容を確認した結果、通信装置３００と通信を行っても問題無いと判断したならば（ステップＳ３０８でＹＥＳ）、ステップＳ３０９に進む。また、識別情報保持部３５６の内容を確認した結果、通信装置３００と通信を行うには問題があると判断したならば（ステップＳ３０８でＮＯ）、ステップＳ３１０に直接進む。
【０２１０】
なお、通信装置３００の識別情報保持部３５６の内容を確認する際に、撮像装置１００の識別情報保持部５８を用いて行ってもよい。
【０２１１】
これらの識別情報の確認により、撮像装置１００と通信装置３００間の認証を行うことができる。
【０２１２】
ステップＳ３０９では、システム制御回路５０は、通信ユニット１１０、アンテナ１１２、アンテナ３３２、通信ユニット３３０を介して、通信装置３００に対し、通信装置３００の状態表示を撮像装置１００において許可する旨の通知を行い、ステップＳ３１０に進む。なお、後述するが、通信装置３００はこの通知を受けると、撮像装置１００に対する通信装置３００の状態送信を行う。
【０２１３】
ステップＳ３１０では、システム制御回路５０は、電源制御部８０により電池等により構成される電源８６の残容量や動作情況が、撮像装置１００の動作を継続するには問題があるか否かを判断する。
【０２１４】
電源部８６の残容量が撮像装置１００の動作を継続するのに問題がある場合はステップＳ３１１に進み、システム制御回路５０は、カメラ電池残量フラグを撮像装置１００の動作を継続するには問題がある状態であることを示すＥ（empty）の設定にして、ステップＳ３１５に進む。
【０２１５】
また、電源部８６の残容量が所定の閾値より少ない場合は、ステップＳ３１０からステップＳ３１２に進み、システム制御回路５０は、カメラ電池残量フラグを撮像装置１００の動作を継続するには残り少ない状態であることを示すＬ（low）の設定にして、ステップＳ３１４に進む。
【０２１６】
また、電源部８６の残容量が所定の閾値より多い場合は、ステップＳ３１３に進み、システム制御回路５０は、カメラ電池残量フラグを撮像装置１００の動作を継続するのに十分な状態であることを示すＨ（high）の設定にして、ステップＳ３１４に進む。
【０２１７】
ステップＳ３１４において、システム制御回路５０は、撮像した画像データのバッファであるメモリ３０の動作状態が撮像装置１００の動作、特にメモリ３０に対する画像データの記憶読み出し動作に問題があるか否かを判断し、問題が無ければステップＳ３１７に進み、問題があるならばステップＳ３１５に進む。
【０２１８】
ステップＳ３１５では、システム制御回路５０は、通知部５４及び／或いは画像表示部２８を用いて画像や音声により所定の警告を行う。そして、各表示手段の表示を終了状態に変更し、バリア１０２等の保護手段を備えている場合はそれを閉じて撮像部を保護し、フラグや制御変数等を含む必要なパラメータや設定値、設定モードを不揮発性メモリ５６に記録し、電源制御部８０により画像表示部２８を含む撮像装置１００各部の不要な電源を遮断する等の所定の終了処理を行った後（ステップＳ３１６）、ステップＳ３０２に戻る。
【０２１９】
ステップＳ３１７では、システム制御回路５０は、通知部５４及び／或いは画像表示部２８を用いて画像や音声により電池残容量やメモリ３０の状態を含む撮像装置１００の各種設定状態の表示を行って、ステップＳ３１８に進む。
【０２２０】
システム制御回路５０は、通信装置３００から通信ユニット３３０、アンテナ３３２、アンテナ１１２、通信ユニット１１０を介して通知を受信しているかどうかを判断し、通知を受信しているならば（ステップＳ３１８でＹＥＳ）、ステップＳ３１９に進み、通知を受信していないならば（ステップＳ３１８でＮＯ）、図１２のステップＳ３３１に進む。
【０２２１】
ステップＳ３１９では、システム制御回路５０は、通信ユニット１１０、アンテナ１１２、アンテナ３３２、通信ユニット３３０を介して、通信システム制御回路３５０に通信装置３００の識別情報保持部３５６の内容を問い合わせる。識別情報保持部３５６の内容を確認した結果、通信装置３００と通信を行っても問題無いと判断したならば（ステップＳ３２０でＹＥＳ）、ステップＳ３２１に進む。また、識別情報保持部３５６の内容を確認した結果、通信装置３００と通信を行うには問題があると判断したならば（ステップＳ３２０でＮＯ）、図１２のステップＳ３３１に進む。
【０２２２】
なお、通信装置３００の識別情報保持部３５６の内容を確認する際に、撮像装置１００の識別情報保持部５８を用いて行ってもよい。
【０２２３】
これらの識別情報の確認により、撮像装置１００と通信装置３００間の認証を行うことができる。
【０２２４】
ステップＳ３２１において、システム制御回路５０は、通信装置３００から通信ユニット３３０、アンテナ３３２、アンテナ１１２、通信ユニット１１０を介して通知を受信し、システム制御回路５０の内部メモリ或いはメモリ５２に格納する。そして、システム制御回路５０は、受信した通信装置３００の状態表示内容を、通知部５４及び／或いは画像表示部２８により表示するように設定し（ステップＳ３２２）、図１２のステップＳ３３１に進む。
【０２２５】
このように、通信装置３００からの各種の警告情報や各種の状態を示す情報を撮像装置１００の通知部５４及び／或いは画像表示部２８により表示して、撮像装置１００を使用中に通信装置３００の情報を知ることが可能となる。
【０２２６】
また、通信装置３００から受信した通知が呼出し開始通知或いは呼出し終了通知である場合、撮像装置１００の通知部５４及び／或いは画像表示部２８により表示することで、撮像装置１００を使用中に通信装置３００に対する他の通信装置或いは通信基地局からの呼出しを知ることが可能となる。
【０２２７】
図１２のステップＳ３３１ではシステム制御回路５０は、シャッタースイッチＳＷ１が押されたかどうかを判断し、押されていないならば、図１１のステップＳ３０２に戻る。
【０２２８】
シャッタースイッチＳＷ１が押されたならば（ステップＳ３３１でＹＥＳ）ステップＳ３３２に進み、システム制御回路５０は、通信ユニット１１０、アンテナ１１２、アンテナ３３２、通信ユニット３３０を介して、通信システム制御回路３５０に通信装置３００の識別情報保持部３５６の内容を問い合わせる。
【０２２９】
識別情報保持部３５６の内容を確認した結果、通信装置３００と通信を行っても問題無いと判断したならば（ステップＳ３３３でＹＥＳ）、ステップＳ３３４に進む。また、識別情報保持部３５６の内容を確認した結果、通信装置３００と通信を行うには問題があると判断したならば（ステップＳ３３３でＮＯ）、ステップＳ３３５に進む。
【０２３０】
なお、通信装置３００の識別情報保持部３５６の内容を確認する際に、撮像装置１００の識別情報保持部５８を用いて行ってもよい。
【０２３１】
これらの識別情報の確認により、撮像装置１００と通信装置３００間の認証を行うことができる。
【０２３２】
ステップＳ３３４では、システム制御回路５０は、通信ユニット１１０、アンテナ１１２、アンテナ３３２、通信ユニット３３０を介して、通信装置３００に対し、通信装置３００の状態表示を撮像装置１００において禁止する旨の通知を行い、ステップＳ３５５に進む。この通知に応じて、通信装置３００は撮像装置１００に対する通信装置３００の状態送信を停止する。これにより、撮像装置１００に於いて撮影準備状態に入ったならば、撮像装置１００の通知部５４及び／或いは画像表示部２８の表示内容を、撮像装置１００固有の撮影に関する情報を表示する状態にして、撮影動作を行う上で利便性の良い表示状態を使用者に提供することが可能となる。
【０２３３】
そしてステップＳ３３５では、システム制御回路５０は測距処理を行って撮影レンズ１０の焦点を被写体に合わせ、測光処理を行って絞り値及びシャッター時間を決定し、ホワイトバランス処理を行って色温度をあわせる。測光処理に於いて、必要であればフラッシュの設定も行う。
【０２３４】
なお、ステップＳ３３５の測距・測光処理においては、システム制御回路５０の内部メモリ或いはメモリ５２に記憶された撮影開始フラグ及び／或いはＡＥロックフラグ及び／或いはホワイトバランスモード設定フラグの状態に応じて、ＡＥ制御及び／或いはＡＷＢ制御の実行の可否を判断し、判断結果に応じて各々の処理を行う。なお、このステップＳ３３５における測距・測光処理の詳細は、図７を参照して第１の実施形態において説明したものと同様であるので、説明を省略する。
【０２３５】
ステップＳ３３５の測距・測光処理を終えると、システム制御回路５０は、システム制御回路５０の内部メモリ或いはメモリ５２に記憶されたフラッシュフラグの状態を判断し（ステップＳ３３６）、フラッシュフラグが設定されていたならば、フラッシュ４８の充電を行い（ステップＳ３３７）、ステップＳ３３８に進む。また、フラッシュフラグが設定されていないならば、そのままステップＳ３３８に進む。
【０２３６】
システム制御回路５０は、シャッタースイッチＳＷ２が押されずに（ステップＳ３３８でＮＯ）、さらにシャッタースイッチＳＷ１も解除されたならば（ステップＳ３３９でＮＯ）、システム制御回路５０は、通信ユニット１１０、アンテナ１１２、アンテナ３３２、通信ユニット３３０を介して、通信システム制御回路３５０に通信装置３００の識別情報保持部３５６の内容を問い合わせる（ステップＳ３４０）。
【０２３７】
識別情報保持部３５６の内容を確認した結果、通信装置３００と通信を行っても問題無いと判断したならば（ステップＳ３４１でＹＥＳ）、ステップＳ３４２に進む。また、識別情報保持部３５６の内容を確認した結果、通信装置３００と通信を行うには問題があると判断したならば（ステップＳ３４１でＮＯ）、図１１のステップＳ３０２に戻る。
【０２３８】
なお、通信装置３００の識別情報保持部３５６の内容を確認する際に、撮像装置１００の識別情報保持部５８を用いて行ってもよい。
【０２３９】
これらの識別情報の確認により、撮像装置１００と通信装置３００間の認証を行うことができる。
【０２４０】
システム制御回路５０は、通信ユニット１１０、アンテナ１１２、アンテナ３３２、通信ユニット３３０を介して、通信装置３００に対し、通信装置３００の状態表示を撮像装置１００の通知部５４及び／或いは画像表示部２８において許可する旨の通知を行い、ステップＳ３４３に進む。なお、後述するが、通信装置３００はこの通知を受けると、撮像装置１００に対する通信装置３００の状態を送信することができる。
【０２４１】
これにより、撮像装置１００に於いて撮影準備状態が終了したならば、撮像装置１００の通知部５４及び／或いは画像表示部２８の表示内容を、撮像装置１００固有の撮影に関する情報を表示する状態から、通信装置３００からの通知を表示する状態とする、或いは撮像装置１００固有の撮影に関する情報及び通信装置３００からの通知を表示する状態とすることができる。
【０２４２】
システム制御回路５０は、通信装置３００から通信ユニット３３０、アンテナ３３２、アンテナ１１２、通信ユニット１１０を介して通知を受信しているかどうかを判断し、通知を受信しているならば（ステップＳ３４３でＹＥＳ）、ステップＳ３４４に進み、通知を受信していないならば（ステップＳ３４３でＮＯ）、図１１のステップＳ３０２に戻る。
【０２４３】
システム制御回路５０は、通信装置３００から通信ユニット３３０、アンテナ３３２、アンテナ１１２、通信ユニット１１０を介して通知を受信し、システム制御回路５０の内部メモリ或いはメモリ５２に格納する（ステップＳ３４４）。
【０２４４】
そして、システム制御回路５０は、受信した通信装置３００の状態表示内容を、通知部５４及び／或いは画像表示部２８により表示するように設定し（ステップＳ３４５）、図１１のステップＳ３０２に戻る。
【０２４５】
これにより、通信装置３００からの各種の警告情報や各種の状態を示す情報を撮像装置１００の通知部５４及び／或いは画像表示部２８により表示して、撮像装置１００を使用中に通信装置３００の情報を知ることが可能となる。
【０２４６】
また、通信装置３００からの呼出し開始通知或いは呼出し終了通知を、撮像装置１００の通知部５４及び／或いは画像表示部２８により表示して、撮像装置１００を使用中に通信装置３００に対する他の通信装置或いは通信基地局からの呼出しを知ることが可能となる。
【０２４７】
また、シャッタースイッチＳＷ２が押されたならば（ステップＳ３３８でＹＥＳ）、図１３のステップＳ３６１に進む。
【０２４８】
ステップＳ３６１において、システム制御回路５０は、撮像素子１２、Ａ／Ｄ変換器１６、画像処理回路２０、メモリ制御回路２２を介して、或いはＡ／Ｄ変換器から直接メモリ制御回路２２を介して、メモリ３０に撮影した画像データを書き込む露光処理からなる撮影処理を実行する。このステップＳ３６１における撮影処理の詳細は図８を用いて第１の実施形態において説明したものと同様であるので、説明を省略する。
【０２４９】
システム制御回路５０は、メモリ制御回路２２そして必要に応じて画像処理回路２０を用いて、メモリ３０に書き込まれた撮影画像データを読み出して各種処理を行う現像処理（ステップＳ３６２）、また、必要に応じて、圧縮・伸長回路３２を用いて設定したモードに応じた画像圧縮処理を行う圧縮処理を行った後（ステップＳ３６３）、メモリ３０に所定の処理を行った画像データを記憶する（ステップＳ３６４）。
【０２５０】
ステップＳ３６５において、システム制御回路５０はシャッタースイッチＳＷ１の状態を判断し、シャッタースイッチＳＷ１が放されたならば、システム制御回路５０は、通信ユニット１１０、アンテナ１１２、アンテナ３３２、通信ユニット３３０を介して、通信システム制御回路３５０に通信装置３００の識別情報保持部３５６の内容を問い合わせる（ステップＳ３６６）。
【０２５１】
識別情報保持部３５６の内容を確認した結果、通信装置３００と通信を行っても問題無いと判断したならば（ステップＳ３６７でＹＥＳ）、ステップＳ３６８に進む。また、識別情報保持部３５６の内容を確認した結果、通信装置３００と通信を行うには問題があると判断したならば（ステップＳ３６７でＮＯ）、システム制御回路５０は、通知部５４及び／或いは画像表示部２８を用いて画像や音声により所定の警告を行い（ステップＳ３７４）、図１１のステップＳ３０２に戻る。
【０２５２】
なお、通信装置３００の識別情報保持部３５６の内容を確認する際に、撮像装置１００の識別情報保持部５８を用いて行ってもよい。
【０２５３】
これらの識別情報の確認により、撮像装置１００と通信装置３００間の認証を行うことができる。
【０２５４】
また、ステップＳ３６８では、システム制御回路５０は、通信ユニット１１０、アンテナ１１２、アンテナ３３２、通信ユニット３３０を介して、通信装置３００に対し、通信装置３００の状態表示を撮像装置１００の通知部５４及び／或いは画像表示部２８において許可する旨の通知を行い、ステップＳ３６９に進む。
【０２５５】
これにより、撮像装置１００に於いて撮影準備状態が終了したならば、撮像装置１００の通知部５４及び／或いは画像表示部２８の表示内容を、撮像装置１００固有の撮影に関する情報を表示する状態から、通信装置３００からの通知を表示する状態とする、或いは撮像装置１００固有の撮影に関する情報及び通信装置３００からの通知を表示する状態とすることができる。
【０２５６】
システム制御回路５０は、通信装置３００から通信ユニット３３０、アンテナ３３２、アンテナ１１２、通信ユニット１１０を介して通知を受信しているかどうかを判断し、通知を受信しているならば（ステップＳ３６９でＹＥＳ）、ステップＳ３７０に進み、通知を受信していないならば（ステップＳ３６９でＮＯ）、ステップＳ３７２に進む。
【０２５７】
システム制御回路５０は、通信装置３００から通信ユニット３３０、アンテナ３３２、アンテナ１１２、通信ユニット１１０を介して通知を受信し、システム制御回路５０の内部メモリ或いはメモリ５２に格納する（ステップＳ３７０）。
【０２５８】
そして、システム制御回路５０は、受信した通信装置３００の状態表示内容を、通知部５４及び／或いは画像表示部２８により表示するように設定し（ステップＳ３７１）、ステップＳ３７２に進む。
【０２５９】
このように、通信装置３００からの各種の警告情報や各種の状態を示す情報を撮像装置１００の通知部５４及び／或いは画像表示部２８により表示して、撮像装置１００を使用中に通信装置３００の情報を知ることが可能となる。
【０２６０】
また、通信装置３００からの呼出し開始通知或いは呼出し終了通知を、撮像装置１００の通知部５４及び／或いは画像表示部２８により表示して、撮像装置１００を使用中に通信装置３００に対する他の通信装置或いは通信基地局からの呼出しを知ることが可能となる。
【０２６１】
ステップＳ３７２において、システム制御回路５０は、所定の撮影処理、現像処理、圧縮処理等を行ってメモリ３０に記憶した画像データを読み出し、通信ユニット１１０、アンテナ１１２を介して通信装置３００に対して画像通信を行う。
【０２６２】
画像通信を終了したならば（ステップＳ３７３でＹＥＳ）、図１１のステップＳ３０２に戻る。
【０２６３】
なお、ステップＳ３７２における画像データの送信は、撮像装置１００のオペレータによる指示または通信装置３００からのリクエストに応じて行うように構成できることはいうまでもない。
【０２６４】
＜通信装置３００の動作説明＞
次に図１４及び図１５を参照して、第２の実施形態における通信装置３００の動作を説明する。
【０２６５】
図１４及び図１５は本第２の実施形態におけるの通信装置３００の主ルーチンのフローチャートを示す。
【０２６６】
図１４のステップＳ４０１において、電池交換等の電源投入により、通信システム制御回路３５０はフラグや制御変数等を初期化し、続いてステップＳ４０２で、操作手段３６２に含まれる電源スイッチの設定状態を判断する。電源スイッチが電源ＯＦＦに設定されていたならば（ステップＳ４０２でＮＯ）、各表示手段の表示を終了状態に変更し、フラグや制御変数等を含む必要なパラメータや設定値、設定モードを不揮発性メモリ３５４に記録し、電源制御部３８０により画像表示部３２４を含む通信装置３００各部の不要な電源を遮断する等の所定の終了処理を行った後（ステップＳ４０３）、ステップＳ４０２に戻る。
【０２６７】
操作手段３６２に含まれる電源スイッチが電源ＯＮに設定されていたならば（ステップＳ４０２でＹＥＳ）、ステップＳ４０４に進み、通信システム制御回路３５０は、電源制御部３８０により電池等により構成される電源部３８６の残容量や動作情況が通信装置３００の動作に問題がを与えるものであるか否かを判断する。
【０２６８】
電源部３８６の残容量や動作情況が通信装置３００の動作に問題を与えるならば、通信システム制御回路３５０は、携帯電話電池残量フラグを通信装置３００の動作を継続するには問題がある状態であることを示すＥ（empty）の設定にして（ステップＳ４０５）、ステップＳ４０８に進む。
【０２６９】
ステップＳ４０８で通信システム制御回路３５０は、通信システム制御回路３５０の内部メモリ及び／或いはメモリ３５２の所定領域に記憶されたカメラ送信許可フラグの状態を判断し、カメラ送信許可フラグが設定されていたならば（ステップＳ４０８でＹＥＳ）ステップＳ４０９に進み、カメラ送信許可フラグが設定されていないならば（ステップＳ４０８でＮＯ）ステップＳ４１２に進む。
【０２７０】
ステップＳ４０９では、通信システム制御回路３５０は、通信ユニット３３０、アンテナ３３２、アンテナ１１２、通信ユニット１１０を介して、システム制御回路５０に撮像装置１００の識別情報保持部５８の内容を問い合わせる。識別情報保持部５８の内容を確認した結果、撮像装置１００と通信を行っても問題無いと判断したならば（ステップＳ４１０でＹＥＳ）、ステップＳ４１１に進み、識別情報保持部５８の内容を確認した結果、撮像装置１００と通信を行うには問題があると判断したならば（ステップＳ４１０でＮＯ）、ステップＳ４１２に進む。
【０２７１】
なお、撮像装置１００の識別情報保持部５８の内容を確認する際に、通信装置３００の識別情報保持部３５６を用いて行ってもよい。
【０２７２】
これらの識別情報の確認により、撮像装置１００と通信装置３００間の認証を行うことができる。
【０２７３】
ステップＳ４１１では、通信システム制御回路３５０は、通信ユニット３３０、アンテナ３３２を介して撮像装置１００に対して、通信装置３００の電池残量が無いことを含む各種緊急状態を示す所定の警告通知を行い、ステップＳ４１２に進む。
【０２７４】
通信システム制御回路３５０は、表示手段３６０を用いて画像や音声により所定の警告を行った後に（ステップＳ４１２）、各表示手段の表示を終了状態に変更し、フラグや制御変数等を含む必要なパラメータや設定値、設定モードを不揮発性メモリ３５４に記録し、電源制御部３８０により画像表示部３２４を含む通信装置３００各部の不要な電源を遮断する等の所定の終了処理を行った後（ステップＳ４１３）、図１１のステップＳ４０２に戻る。
【０２７５】
また、電源部３８６の残容量が所定の閾値より少ない場合は、ステップＳ４０４からステップＳ４０６に進み、通信システム制御回路３５０は、携帯電話電池残量フラグを通信装置３００の動作を継続するには残り少ない状態であることを示すＬ（low）の設定にして、ステップＳ４１４に進む。
【０２７６】
また、電源部３８６の残容量が所定の閾値より多い場合は、ステップＳ４０７に進み、通信システム制御回路３５０は、携帯電話電池残量フラグを通信装置３００の動作を継続するのに十分な状態であることを示すＨ（high）の設定にして、ステップＳ４１４に進む。
【０２７７】
ステップＳ４１４において通信システム制御回路３５０は、通信システム制御回路３５０の内部メモリ及び／或いはメモリ３５２の所定領域に記憶されたカメラ送信許可フラグの状態を判断し、カメラ送信許可フラグが設定されていたならばステップＳ４１５に進み、カメラ送信許可フラグが設定されていなければステップＳ４１８に進む。
【０２７８】
これにより、例えば通信装置３００を鞄にしまって、撮像装置１００を用いて撮影を行おうとしているような使用状況に於いても、通信装置３００の状態を撮像装置１００に通知することにより、撮像システムの使用者に対して速やかな警告を行うことが可能となり、その結果、利便性の良いシステムを提供することが可能となる。
【０２７９】
ステップＳ４１５では、通信システム制御回路３５０は、通信ユニット３３０、アンテナ３３２、アンテナ１１２、通信ユニット１１０を介して、システム制御回路５０に撮像装置１００の識別情報保持部５８の内容を問い合わせる。識別情報保持部５８の内容を確認した結果、撮像装置１００と通信を行っても問題無いと判断したならば（ステップＳ４１６でＹＥＳ）、ステップＳ４１７に進む。また、識別情報保持部５８の内容を確認した結果、撮像装置１００と通信を行うには問題があると判断したならば（ステップＳ４１６でＮＯ）、ステップＳ４１８に進む。
【０２８０】
なお、撮像装置１００の識別情報保持部５８の内容を確認する際に、通信装置３００の識別情報保持部３５６を用いて行ってもよい。
【０２８１】
これらの識別情報の確認により、撮像装置１００と通信装置３００間の認証を行うことができる。
【０２８２】
ステップＳ４１７において、通信システム制御回路３５０は、通信ユニット３３０、アンテナ３３２を介して撮像装置１００に対して、通信装置３００の各種状態を示す所定の状態通知を行い、ステップＳ４１８に進む。
【０２８３】
なお、所定の状態通知としては、電波強度通知、圏外通知、電池残量通知等がある。
【０２８４】
これにより、例えば通信装置３００を鞄にしまって、撮像装置１００を用いて撮影を行おうとしているような使用状況に於いても、通信装置３００の状態を撮像装置１００に通知することにより、撮像システムの使用者に対して速やかな状態報知を行うことが可能となり、その結果、利便性の良いシステムを提供することが可能となる。
【０２８５】
その後、通信システム制御回路３５０は、表示手段３６０を用いて画像や音声により電池残容量の状態を含む通信装置３００の各種設定状態の表示を行った後（Ｓ４１８）、他の通信装置或いは通信基地局からの着信呼出しを待つ待ち受け状態で待機する（ステップＳ４１９）。
【０２８６】
ステップＳ４２０で通信システム制御回路３５０は、撮像装置１００から通信ユニット１１０、アンテナ１１２、アンテナ３３２、通信ユニット３３０を介して画像データを受信しているかどうかを判断し、画像データを受信しているならば、ステップＳ４２１に進み、画像データを受信していないならば、図１５のステップＳ４４１に進む。
【０２８７】
ステップＳ４２１で通信システム制御回路３５０は、通信ユニット３３０、アンテナ３３２、アンテナ１１２、通信ユニット１１０を介して、システム制御回路５０に撮像装置１００の識別情報保持部５８の内容を問い合わせる。識別情報保持部５８の内容を確認した結果、撮像装置１００と通信を行っても問題無いと判断したならば（ステップＳ４２２でＹＥＳ）、ステップＳ４２３に進む。
【０２８８】
また、識別情報保持部５８の内容を確認した結果、撮像装置１００と通信を行うには問題があると判断したならば（ステップＳ４２２でＮＯ）、図１５のステップＳ４４１に進む。
【０２８９】
なお、撮像装置１００の識別情報保持部５８の内容を確認する際に、通信装置３００の識別情報保持部３５６を用いて行ってもよい。
【０２９０】
これらの識別情報の確認により、撮像装置１００と通信装置３００間の認証を行うことができる。
【０２９１】
ステップＳ４２３では通信システム制御回路３５０は、通信ユニット１１０、アンテナ１１２、アンテナ３３２、通信ユニット３３０を介して撮像装置１００からの通知を受信するカメラ通知受信処理を行うが、このステップＳ４２３におけるカメラ通知受信処理の詳細は図１６を用いて後述する。
【０２９２】
ステップＳ４２３のカメラ通知受信処理を終えると、図１５のステップＳ４４１に進む。
【０２９３】
ステップＳ４４１において、通信システム制御回路３５０は、他の通信装置或いは通信基地局から、アンテナ３２８及び通信ユニット３２６を介して着信呼出しがあるかどうかを判断する。他の通信装置或いは通信基地局から着信呼出しが無いならば（ステップＳ４４１でＮＯ）、ステップＳ４４２に進み、他の通信装置或いは通信基地局から着信呼出しがあるならば（ステップＳ４４１でＹＥＳ）、ステップＳ４４７に進む。
【０２９４】
ステップＳ４４２において、通信システム制御回路３５０は、操作手段３６２に含まれるオフフック（通話開始）スイッチが設定されているかどうかを判断し、設定されていないならば（ステップＳ４４２でＮＯ）、図１４のステップＳ４０２に戻る。
【０２９５】
操作手段３６２に含まれるオフフック（通話開始）スイッチが設定され（ステップＳ４４２でＹＥＳ）、操作手段３６２によって発信呼出しの設定が行われたならば（ステップＳ４４３でＹＥＳ）、通信システム制御回路３５０は、設定された電話番号に応じた発信呼出しを他の通信装置或いは通信基地局に対して行う（ステップＳ４４４）。
【０２９６】
他の通信装置或いは通信基地局との回線が接続されない間（ステップＳ４４５ＮＯ）、操作手段３６２に含まれるオンフック（通話打ち切り）スイッチが設定されるまで（すなわちステップＳ４４６でＹＥＳとなるまで）、通信システム制御回路３５０は、ステップＳ４４４に戻って一連の処理を繰り返す。
【０２９７】
他の通信装置或いは通信基地局との回線が接続されたならば（ステップＳ４４５でＹＥＳ）、ステップＳ４６８に進む。
【０２９８】
また、ステップＳ４４１で着信呼出しを検知するとステップＳ４４７に進み、通信システム制御回路３５０は、通信システム制御回路３５０の内部メモリ及び／或いはメモリ３５２の所定領域に記憶されたカメラ送信許可フラグの状態を判断し、カメラ送信許可フラグが設定されていたならばステップＳ４４９に進み、カメラ送信許可フラグが設定されていないならばステップＳ４４８に進む。
【０２９９】
ステップＳ４４９において、通信システム制御回路３５０は、通信ユニット３３０、アンテナ３３２、アンテナ１１２、通信ユニット１１０を介して、システム制御回路５０に撮像装置１００の識別情報保持部５８の内容を問い合わせる。識別情報保持部５８の内容を確認した結果、撮像装置１００と通信を行っても問題無いと判断したならば（ステップＳ４５０でＹＥＳ）、ステップＳ４５１に進み、問題があると判断したならば（ステップＳ４５０でＮＯ）、ステップＳ４４８に進む。
【０３００】
なお、撮像装置１００の識別情報保持部５８の内容を確認する際に、通信装置３００の識別情報保持部３５６を用いて行ってもよい。
【０３０１】
これらの識別情報の確認により、撮像装置１００と通信装置３００間の認証を行うことができる。
【０３０２】
ステップＳ４５１で、通信システム制御回路３５０は、通信ユニット３３０、アンテナ３３２を介して撮像装置１００に対して、呼出し開始通知を行うと共に、ステップＳ４５２で呼出しフラグの設定を行って、ステップＳ４５３に進む。
【０３０３】
なお、この呼出しフラグは、通信システム制御回路３５０の内部メモリ及び／或いはメモリ３５２の所定領域に記憶される。
【０３０４】
このように、通信装置３００に対する着信呼出しを撮像装置１００に通知することによって、撮像装置１００の使用中に於いても、通信装置３００に対して着信呼出しが生じていることを報知することが可能となる。
【０３０５】
ステップＳ４４８では、通信システム制御回路３５０は、着信通知部３６４による呼出し音や振動等を用いた通信装置３００の使用者への着信通知を開始した後、ステップＳ４５３に進む。
【０３０６】
以下、ステップＳ４５３乃至Ｓ４７１の動作は、第１の実施形態における図１０のステップＳ２５２乃至Ｓ２７０の動作とそれぞれ同様であるので、説明を省略する。
【０３０７】
次に図１６のフローチャートを参照して、図１４のステップＳ４２３におけるカメラ通知受信処理を詳細に説明する。
【０３０８】
まず、ステップＳ５０１において通信システム制御回路３５０は、撮像装置１００から通信ユニット１１０、アンテナ１１２、アンテナ３３２、通信ユニット３３０を介して画像データを受信しているかどうかを判断する。画像データを受信しているならば（ステップＳ５０１でＹＥＳ）、ステップＳ５０２に進み、画像データを受信していないならば（ステップＳ５０１でＮＯ）、ステップＳ５０４に進む。
【０３０９】
通信システム制御回路３５０は、撮像装置１００から通信ユニット１１０、アンテナ１１２、アンテナ３３２、通信ユニット３３０を介して受信した画像データをメモリ３２０に順次記憶し、そして、記憶した画像データを順次読み出してインタフェース３９０、コネクタ３９２、コネクタ２０６、インタフェース２０４を介して記録媒体２００の記録部２０２に記録する（ステップＳ５０２）。
【０３１０】
なお、メモリ３２０に記憶した画像データを、Ｄ／Ａ変換器３２２を介して画像表示部３２４に表示することも可能である。この場合、画像表示部３２４の仕様に合わせて、メモリ制御回路３１４によって所定の補間或いは間引き処理、所定の色処理を行った後に、画像表示部３２４に受信した画像データを表示する。
【０３１１】
画像データの受信を終了したならば（ステップＳ５０３でＹＥＳ）、カメラ通知受信処理ルーチンを終了する。
【０３１２】
また、画像データを受信していない場合（ステップＳ５０１でＮＯ）、ステップＳ５０４において通信システム制御回路３５０は、撮像装置１００から通信ユニット１１０、アンテナ１１２、アンテナ３３２、通信ユニット３３０を介して表示禁止通知を受信しているかどうかを判断し、表示禁止通知を受信しているならば（ステップＳ５０４でＹＥＳ）、カメラ送信許可フラグを解除して（ステップＳ５０５）、カメラ通知受信処理ルーチンを終了する。
【０３１３】
また、ステップＳ５０４において表示禁止通知を受信していないならば、ステップＳ５０６において通信システム制御回路３５０は、撮像装置１００から通信ユニット１１０、アンテナ１１２、アンテナ３３２、通信ユニット３３０を介して表示許可通知を受信しているかどうかを判断する。表示許可通知を受信しているならば（ステップＳ５０６でＹＥＳ）、カメラ送信許可フラグを設定してから（ステップＳ５０７）、表示許可通知を受信していなければ（ステップＳ５０６でＮＯ）そのまま、カメラ通知受信処理ルーチンを終了する。
【０３１４】
このように、撮像装置１００からの表示許可通知或いは表示禁止通知に応じて、通信装置３００から撮像装置１００への警告通知或いは状態通知、呼出し開始通知、呼出し終了通知等の各種通知の可否を設定することが可能となる。
【０３１５】
以上説明した様に、第２の実施形態によれば、撮像装置１００は撮像装置１００の状態を通信装置３００に通知し、通信装置３００は通知された撮像装置１００の状態を判断し、判断した結果に応じて通信装置３００の状態を撮像装置１００に通知することによって、撮像装置１００は撮像装置１００の状態に応じて通信装置３００の状態表示を行うことが可能となる。
【０３１６】
また、撮像装置１００は撮像装置１００の撮影準備動作及び／或いは撮影動作の状態を通信装置３００に通知し、通信装置３００は通知された撮像装置１００の状態を判断し、判断した結果に応じて通信装置３００の電池残量状態を含む各種状態を撮像装置１００に通知することによって、撮像装置１００は撮像装置１００の状態に応じて通信装置３００の状態表示を行うことが可能となる。
【０３１７】
そして、撮像装置１００は撮像装置１００の撮影準備動作及び／或いは撮影動作の状態を通信装置３００に通知し、通信装置３００は通知された撮像装置１００の状態を判断し、判断した結果に応じて通信装置３００の着信呼出し状態を撮像装置１００に通知することによって、通信装置３００の着信呼出し表示を撮像装置１００において行うことが可能となる。
【０３１８】
図１７は本発明の撮像装置１００の画像表示部２８における表示例を示す図である。
【０３１９】
図１７（ａ）は本発明の実施の形態における撮像装置１００の画像表示部２８における撮影準備状態及び／或いは撮影状態（すなわち、図５のステップＳ１３２〜図６のステップＳ１６６、図１２のステップＳ３３４〜Ｓ３４２及び図１３のステップＳ３６１〜Ｓ３６８）の表示画面の一例である。
【０３２０】
図において、１３２は撮影ファインダー画像領域、１３４は撮像装置１００の撮影モード及び各種撮影パラメータ表示領域である。
【０３２１】
１３５はＡＥ（自動露出）ロック表示、１３６はフラッシュ撮影表示、１３７はシャッター速度（ＴＶ値）表示、１３８は絞り（ＡＶ値）表示、１３９はフラッシュ調光表示、１４０はＡＦ（オートフォーカス）合焦表示、１４１は露出補正表示及び調光補正表示、１４２はＡＷＢ（オートホワイトバランス）表示及びマニュアルＷＢ表示、１４３は撮影モード表示、１４４は測距情報表示である。
【０３２２】
図１７（ｂ）は本発明の実施の形態における撮像装置１００の画像表示部２８における通信装置３００の状態表示（すなわち、図４のステップＳ１０５〜図５のステップＳ１３２、図６のステップＳ１６６以降、図１１のステップＳ３０９〜図１２のステップＳ３３４、図１２のステップＳ３４２〜Ｓ３４５及び図１３のステップＳ３６８以降）の表示画面の一例である。
【０３２３】
図において、１４５は通信装置３００の電池残量表示、１４６は通信装置３００の電波強度表示、１４７は通信装置３００の電波圏外表示、１４８は通信装置３００の着信呼出し表示、１４９は通信装置３００の着信呼出し先の電話番号或いはアドレス表示、１５０は通信装置３００の着信呼出し先の名称表示である。
【０３２４】
＜他の実施形態＞
なお、上記実施の形態の説明に於いては、撮像装置１００のレリーズスイッチＳＷ１及び／或いはＳＷ２の操作に応じて、通信装置３００の各種状態を撮像装置１００に通知し、撮像装置１００において通信装置３００の各種状態を表示するとして説明したが、撮像装置１００の各種モード操作に応じて行うようにしても良い。
【０３２５】
例えば、電源ＯＮ／ＯＦＦ、撮影モードと再生モード、撮影状態と撮影画像の瞬時再生状態、省電力モードの段階等に応じて、通信装置３００の各種状態を撮像装置１００に通知し、撮像装置１００において通信装置３００の各種状態を表示するようにしても良い。
【０３２６】
さらに、撮影モード、測光モード、単写／連写／セルフ撮影モード、オートフォーカスモード、測距点選択、撮影枚数、撮影可能枚数、シャッター速度設定、絞り値設定、露出補正、フラッシュ、電池残量検知、エラー状態検知、通信等の操作や状態遷移に応じて、通信装置３００の各種状態を撮像装置１００に通知し、撮像装置１００において通信装置３００の各種状態を表示するようにしても良い。
【０３２７】
また、通信装置３００から撮像装置１００への警告通知及び／或いは状態通知は、撮像装置１００のレリーズスイッチＳＷ１及び／或いはＳＷ２の操作に応じて、その頻度を変更するようにしても良い。
【０３２８】
例えば、撮像装置１００が撮影準備状態及び／或いは撮影状態であったならば、通信装置３００から撮像装置１００への警告通知及び／或いは状態通知の頻度を少なくし、撮像装置１００が撮影準備状態及び／或いは撮影状態でなかったならば、通信装置３００から撮像装置１００への警告通知及び／或いは状態通知の頻度を多くするようにしても良い。
【０３２９】
そして、通信装置３００から撮像装置１００への警告通知及び／或いは状態通知は、撮像装置１００の識別情報保持部５８、通信装置３００の識別情報保持部３５６を用いて、相互に認証した後に行うようにすれば、誤って他の機器に通知を行う或いは誤って他の機器から通知を受けることを防止することができる。
【０３３０】
また、上記実施の形態の説明においても説明したが、通信装置３００から撮像装置１００への状態通知は、通信装置３００の電池残量状態に限らず、通信装置３００の電波強度通知、圏外通知等の通知も可能である。
【０３３１】
そして、通信装置３００から撮像装置１００への警告通知は、通信装置３００の電池残量状態に限らず、通信装置３００の電波強度通知、圏外通知等の通知とすることも可能である。
【０３３２】
なお、実施の形態の説明に於いては、単数の撮像装置１００と単数の通信装置３００との組み合わせとして説明を行ったが、単数或いは複数の任意の数の撮像装置と、単数或いは複数の任意の数の通信装置を組み合わせた撮像システムとして構成しても問題無い。
【０３３３】
また、記録媒体２００は通信装置３００に着脱可能な構成であるとして説明したが、記録媒体２００が撮像装置１００に着脱可能な構成としても問題無い。
【０３３４】
さらに、撮像装置１００と通信装置３００の何れにも、記録媒体２００が着脱可能な構成としても問題無い。
【０３３５】
なお、記録媒体２００は、ＰＣＭＣＩＡカードやＣＦ（コンパクトフラッシュ（登録商標））カード、ＭＭＣ（マルチメディアカード）等のメモリカード、ハードディスク等だけでなく、マイクロＤＡＴ、光磁気ディスク、ＣＤ−ＲやＣＤ−ＷＲ等の光ディスク、ＤＶＤ等の相変化型光ディスク等で構成されていても勿論構わない。
【０３３６】
また、記録媒体２００がメモリカードとハードディスク等が一体となった複合媒体であっても勿論問題無い。さらに、その複合媒体から一部が着脱可能な構成としても勿論問題無い。
【０３３７】
そして、上記実施の形態の説明に於いては、記録媒体２００は通信装置３００と分離していて任意に接続可能なものとして説明したが、記録媒体２００が通信装置３００に固定したままとなっていても勿論構わない。
【０３３８】
また、通信装置３００に記録媒体２００が単数或いは複数の任意の個数接続可能な構成であっても構わない。
【０３３９】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【０３４０】
この場合、記憶媒体から読み出されたプログラムコード自体が前述した実施形態の機能を実現することになり、そのプログラムコードを記憶した記憶媒体は本発明を構成することになる。
【０３４１】
プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭ等を用いることが出来る。
【０３４２】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部又は全部を行い、その処理によって前述した実施形態の機能が実現される場合も含まれることは言うまでもない。
【０３４３】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【０３４４】
【図１】本発明の実施の形態における撮像システムの全体構成を示す図である。
【図２】本発明の実施の形態における撮像装置の構成を示すブロック図である。
【図３】本発明の実施の形態における通信装置の構成を示すブロック図である。
【図４】本発明の第１の実施形態における撮像装置の主ルーチンのフローチャートである。
【図５】本発明の第１の実施形態における撮像装置の主ルーチンのフローチャートである。
【図６】本発明の第１の実施形態における撮像装置の主ルーチンのフローチャートである。
【図７】本発明の第１の実施形態における撮像装置の測距・測光処理ルーチンのフローチャートである。
【図８】本発明の第１の実施形態における撮像装置の撮影処理ルーチンのフローチャートである。
【図９】本発明の第１の実施形態における通信装置の主ルーチンのフローチャートである。
【図１０】本発明の第１の実施形態における通信装置の主ルーチンのフローチャートである。
【図１１】本発明の第２の実施形態における撮像装置の主ルーチンのフローチャートである。
【図１２】本発明の第２の実施形態における撮像装置の主ルーチンのフローチャートである。
【図１３】本発明の第２の実施形態における撮像装置の主ルーチンのフローチャートである。
【図１４】本発明の第２の実施形態における通信装置の主ルーチンのフローチャートである。
【図１５】本発明の第２の実施形態における通信装置の主ルーチンのフローチャートである。
【図１６】本発明の第２の実施形態における通信装置のカメラ通知受信処理ルーチンのフローチャートである。
【図１７】本発明の撮像装置の画像表示部における表示例を示す図である。
【符号の説明】
【０３４５】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御部
４２  測距制御部
４４  ズーム制御部
４６  バリア制御部
４８  フラッシュ
５０  システム制御回路
５２  メモリ
５４  通知部
５６  不揮発性メモリ
５８  識別情報保持部
６０  モードダイアルスイッチ
６２  シャッタースイッチＳＷ１
６４  シャッタースイッチＳＷ２
６６  単写／連写スイッチ
６８  圧縮モードスイッチ
７０  操作部
７２  メインスイッチ
８０  電源制御部
８２  コネクタ
８４  コネクタ
８６  電源部
１００  撮像装置
１０２  バリア
１０４  光学ファインダ
１１０  通信ユニット
１１２  アンテナ
２００  記録媒体
２０２  記録部
２０４  インタフェース
２０６  コネクタ
２０８  識別情報保持部
３００  通信装置
３１０  マイク
３１２  Ａ／Ｄ変換器
３１４  メモリ制御回路
３１６  Ｄ／Ａ変換器
３１８  スピーカー
３２０  メモリ
３２２  Ｄ／Ａ変換器
３２４  画像表示部
３２６  通信ユニット
３２８  アンテナ
３３０  通信ユニット
３３２  アンテナ
３５０  通信システム制御回路
３５２  メモリ
３５４  不揮発性メモリ
３５６  識別情報保持部
３６０  通知部
３６２  操作手段
３６４  着信通知部
３６６  記録媒体着脱検知部
３８０  電源制御部
３８２  コネクタ
３８４  コネクタ
３８６  電源部
３９０  インタフェース
３９２  コネクタ
【図１】
0004761529.tif 000002
【図２】
0004761529.tif 000003
【図３】
0004761529.tif 000004
【図４】
0004761529.tif 000005
【図５】
0004761529.tif 000006
【図６】
0004761529.tif 000007
【図７】
0004761529.tif 000008
【図８】
0004761529.tif 000009
【図９】
0004761529.tif 000010
【図１０】
0004761529.tif 000011
【図１１】
0004761529.tif 000012
【図１２】
0004761529.tif 000013
【図１３】
0004761529.tif 000014
【図１４】
0004761529.tif 000015
【図１５】
0004761529.tif 000016
【図１６】
0004761529.tif 000017
【図１７】
0004761529.tif 000018